(57)【要約】【課題】ハンドオーバーでのアップリンクベアラーのバインディング。【解決手段】５Ｇネットワーク内でハンドオーバーを実行する手法は、以下のアプローチのうちの少なくとも１つを含む。１つのアプローチでは、ソースｇＮＢがマッピングインジケーターを、転送されたＳＤＡＰ  ＰＤＵ、つまり、転送されたダウンリンクデータパケットから？？？リセットする。したがって、後続のアップリンクデータパケットは、ソースｇＮＢのマッピングテーブルにしたってマッピングされない。別のアプローチでは、ＵＥは、転送されたダウンリンクデータパケットのマッピングインジケーターを無視するように構成されている。つまり、ソースｇＮＢからのハンドオーバーコマンドメッセージの受信に応じて、ＵＥは、ソースｇＮＢからのマッピングテーブルの更新に応答しない。繰り返すと、後続のアップリンクデータパケットは、ソースｇＮＢのマッピングテーブルにしたがってマッピングされない。【選択図】図１Ａ
2020061732.tif 000002
【特許請求の範囲】
【請求項１】
ソース基地局により、ターゲット基地局へのハンドオーバー要求を送信するステップと、
前記ソース基地局によって、前記ターゲット基地局からハンドオーバー要求肯定応答を受信するステップと、
前記ハンドオーバー要求肯定応答の受信に応じて、前記ソース基地局によって、前記ターゲット基地局に転送されるデータパケットのセットを識別するステップであって、データパケットの該セットには、反射マッピングインジケータが含まれる、ステップと、
データパケットの前記セットを転送する前に、前記ソース基地局により、データパケットの別のセットを生成するために、データパケットの前記セットの前記反射マッピングインジケーターのリセット動作を実行するステップと、
前記ソース基地局により、前記ターゲット基地局に、データパケット前記別のセットを転送するステップと、
を含む方法。
【請求項２】
データパケットの前記セットには、サービスデータ適応プロトコルヘッダーが含まれ、前記反射マッピングインジケータには、前記サービスデータアダプテーションプロトコルヘッダーの内に、反射マッピング表示ビットが含まれる、請求項１に記載の方法。
【請求項３】
データパケットの前記セットの前記反射マッピングインジケーターで前記リセット動作を実行するステップは、データ無線ベアラーへの前記データパケットの前記マッピングが、前記ソース基地局からのルールではなく、前記ターゲット基地局からのルールに基づいていることを示すために、データパケットの前記セットのうちの前記データパケットの前記サービスデータ適応プロトコルヘッダーの内の前記反射マッピング表示ビットの値を変更するステップを含む、請求項２に記載の方法。
【請求項４】
データパケットの前記セットのうちのデータパケットの前記反射マッピングインジケータは、アップリンクデータパケットは、既存のマッピングルールに基づいて、データ無線ベアラにマッピングされるかどうかを示す、請求項１に記載の方法。
【請求項５】
前記マッピングルールは、マッピングテーブルを含む、請求項４に記載の方法。
【請求項６】
データパケットの前記別のセットは、前記アップリンクデータパケットが、前記既存のマッピングルールに基づいて前記データ無線ベアラーにマッピングされることを示す反射マッピングインジケータを備える、請求項４に記載の方法。
【請求項７】
ユーザー装置によって、ソース基地局からハンドオーバーコマンドメッセージを受信するステップであって、該ハンドオーバーコマンドメッセージは、ターゲット基地局に関する情報を含む、ステップと、
前記ハンドオーバーコマンドメッセージを受信した後に、前記ユーザー装置によって、前記ターゲット基地局からデータパケットのセットを受信するステップであって、データパケットの前記セットのうちのデータパケットは、反射マッピングインジケータを含み、データパケットの前記セットのうちの前記データパケットの該反射マッピングインジケータは、前記ユーザー装置は、後続のアップリンクデータパケットの反射マッピングに前記データパケットを使用することを示す、ステップと、
前記ユーザー装置により、データパケットの前記セットのうちの少なくとも１つのデータパケットをそれぞれのデータ無線ベアラーにマッピングするマッピング動作を実行するステップであって、該マッピング動作は、前記少なくとも１つのデータパケットの前記反射マッピングインジケータの値から独立である、ステップと、
を含む方法。
【請求項８】
指定された時間が経過するまで、前記マッピング動作を停止するステップをさらに含む、請求項７に記載の方法。
【請求項９】
前記指定された時間が、前記ネットワークから信号伝達される、請求項８に記載の方法。
【請求項１０】
前記指定された時間が、前記ハンドオーバーコマンドメッセージに含まれる、請求項８に記載の方法。
【請求項１１】
前記指定された時間は、送信バッファのデータ量に基づいている、請求項８に記載の方法。
【請求項１２】
バッファされたデータパケットの閾値シーケンス番号に達するまで、前記マッピング動作を停止するステップをさらに含む、請求項７に記載の方法。
【請求項１３】
前記閾値シーケンス番号は、前記ネットワークから信号伝達される、請求項１２に記載の方法。
【請求項１４】
データパケットの前記セットのうちの前記データパケットは、サービス品質フローインジケータをさらに含み、前記データパケットは、前記データパケットのサービス品質フローインジケータに基づいて、前記後続アップリンクデータパケットの反射マッピングのために、前記ユーザー装置によって使用されるように構成される、請求項７に記載の方法。
【請求項１５】
ターゲット基地局により、ソース基地局からの、前記ソース基地局から前記ターゲット基地局へのハンドオーバーを受けるユーザー装置に関するハンドオーバー要求を受信するステップと、
前記ターゲット基地局によって、前記ソース基地局へのハンドオーバー要求肯定応答を送信するステップと、
該ハンドオーバー要求肯定応答を送信した後に、前記ターゲット基地局により、転送されたデータパケットのセットを受信するステップと、
前記ターゲット基地局により、データパケットの前記セットの前記反射マッピングインジケーターのリセット動作を、データパケットの別のセットを生成するために実行するステップと、
含む方法。
【請求項１６】
少なくとも１つのプロセッサと、コンピュータ・プログラム・コードを含む少なくとも１つのメモリとを含む装置であって、
前記少なくとも１つのメモリと、前記コンピュータ・プログラム・コードとは、前記少なくとも１つのプロセッサを用いて、前記装置に、少なくとも、
ハンドオーバー要求をターゲット基地局に送信させ、
前記ターゲット基地局からハンドオーバー要求肯定応答を受信させ、
前記ハンドオーバー要求肯定応答の受信に応じて、前記ターゲット基地局に転送されるデータパケットのセットを識別させ、
データパケットの該セットには、反射マッピングインジケータが含まれ、データパケットの前記セットを転送する前に、リセットデータパケットの別のセットを生成するために、データパケットの前記セットの反射マッピングインジケーターでリセット動作を実行させ、
リセットデータパケットの別のセットを前記ターゲット基地局に転送させる
ように構成される、
装置。
【請求項１７】
データパケットの前記セットには、サービスデータ適応プロトコルヘッダーが含まれ、前記反射マッピングインジケータには、前記サービスデータアダプテーションプロトコルヘッダーの内に、反射マッピング表示ビットが含まれる、請求項１６に記載の装置。
【請求項１８】
前記少なくとも１つのメモリと、前記コンピュータ・プログラムコードとは、前記少なくとも１つのプロセッサを用いて、前記装置に、少なくとも、データ無線ベアラーへの前記データパケットの前記マッピングが、前記ソース基地局からのルールではなく、前記ターゲット基地局からのルールに基づいていることを示すために、データパケットの前記セットのうちのデータパケットの前記サービスデータ適応プロトコルヘッダーの内の前記反射マッピング表示ビットの値を変更させるように構成される、請求項１７に記載の装置。
【請求項１９】
データパケットの前記セットのうちのデータパケットの前記反射マッピングインジケータは、アップリンクデータパケットは、既存のマッピングルールに基づいて、データ無線ベアラにマッピングされるかどうかを示す、請求項１６に記載の装置。
【請求項２０】
前記マッピングルールは、マッピングテーブルを含む、請求項１９に記載の装置。
【請求項２１】
データパケットの前記別のセットには、前記アップリンクデータパケットが、前記既存のマッピングルールに基づいて前記データ無線ベアラーにマッピングされることを示す反射マッピングインジケータが含まれる、請求項１９に記載の装置。
【請求項２２】
少なくとも１つのプロセッサと、コンピュータ・プログラム・コードを含む少なくとも１つのメモリとを含む装置であって、
前記少なくとも１つのメモリと、前記コンピュータ・プログラム・コードとは、前記少なくとも１つのプロセッサを用いて、前記装置に、少なくとも、
ソース基地局からハンドオーバーコマンドメッセージを受信させ、ここで、前記ハンドオーバーコマンドメッセージは、ターゲット基地局に関する情報を含み、
前記ハンドオーバーコマンドメッセージを受信した後、前記ターゲット基地局からデータパケットのセットを受信させ、ここで、データパケットの前記セットのうちのデータパケットは、反射マッピングインジケータを含み、データパケットの前記セットのうちの前記データパケットの該反射マッピングインジケータは、前記ユーザー装置は、後続のアップリンクデータパケットの反射マッピングに前記データパケットを使用することを示し、
データパケットのセットの少なくとも１つのデータパケットをそれぞれのデータ無線ベアラーにマッピングするために、マッピング動作を実行させる
ように構成され、
ここで、該マッピング動作は、少なくとも１つのデータパケットの前記それぞれの反射マッピングインジケータの値から独立である、
装置。
【請求項２３】
前記少なくとも１つのメモリと、前記コンピュータ・プログラムコードとは、前記少なくとも１つのプロセッサを用いて、前記装置に、少なくとも、指定された時間が経過するまで、前記マッピング動作を停止させるように構成される、請求項２２に記載の装置。
【請求項２４】
前記指定された時間が、前記ネットワークから信号伝達される、請求項２３に記載の装置。
【請求項２５】
前記指定された時間が、前記ハンドオーバーコマンドメッセージに含まれる、請求項２３に記載の装置。
【請求項２６】
前記指定された時間は、送信バッファのデータ量に基づいている、請求項２３に記載の装置。
【請求項２７】
前記少なくとも１つのメモリと、前記コンピュータ・プログラムコードとは、前記少なくとも１つのプロセッサを用いて、前記装置に、少なくとも、バッファされたデータパケットの閾値シーケンス番号に達するまで、前記マッピング動作を停止させるように構成される、請求項２２に記載の装置。
【請求項２８】
前記閾値シーケンス番号は、前記ネットワークから信号伝達される、請求項２８に記載の装置。
【請求項２９】
データパケットの前記セットのうちの前記データパケットは、サービス品質フローインジケータをさらに含み、前記データパケットは、前記データパケットのサービス品質フローインジケータに基づいて、前記後続アップリンクデータパケットの反射マッピングのために、前記ユーザー装置により使用されるように構成されている、請求項２２に記載の装置。
【請求項３０】
少なくとも１つのプロセッサと、コンピュータ・プログラム・コードを含む少なくとも１つのメモリとを含む装置であって、
前記少なくとも１つのメモリと、前記コンピュータ・プログラム・コードとは、前記少なくとも１つのプロセッサを用いて、前記装置に、少なくとも、
ソース基地局から、前記ソース基地局から前記ターゲット基地局へのハンドオーバーを受けるユーザー装置に関するハンドオーバー要求を受信させ、
前記ソース基地局にハンドオーバー要求肯定応答を送信させ、
該ハンドオーバー要求肯定応答を送信した後に、転送されたデータパケットのセットを受信させ、
データパケットの別のセットを生成するためにデータパケットの前記セットの前記反射マッピングインジケーターでリセット動作を実行させる
ように構成される、
装置。
【請求項３１】
実行可能なコードを格納する非一時的コンピューター可読記憶媒体を含むコンピュータープログラム製品であって、該実行可能なコードは、少なくとも１つのデータ処理装置によって実行されたとき、少なくとも１つのデータ処理装置に、請求項１ないし１５のいずれか１項に記載の方法を実行させるように構成される、コンピュータープログラム製品。
【請求項３２】
請求項１ないし６のいずれか１項に記載の方法を実行する手段、請求項７ないし１４のいずれか１項に記載の方法を実行する手段、または、請求項１５に記載の方法を実行する手段を備える装置。
【発明の詳細な説明】
【技術分野】
【０００１】
本願記載は、通信に関する。
【背景技術】
【０００２】
通信システムは、固定またはモバイル通信デバイスなど、２つ以上のノードまたはデバイス間の通信を可能にする施設であり得る。信号は、有線または無線のキャリアで伝送できる。
【０００３】
セルラー通信システムの例は、第３世代パートナーシップ・プロジェクト（３ＧＰＰ）によって標準化されているアーキテクチャである。この分野での最近の発展は、しばしば、ユニバーサルモバイルテレコミュニケーションシステム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  ）無線アクセス技術の長期的進化（ＬＴＥ）と呼ばれる。Ｅ  ＵＴＲＡ（ｅｖｏｌｖｅｄ  ＵＭＴＳ  Ｔｅｒｒｅｓｔｒｉａｌ  Ｒａｄｉｏ  Ａｃｃｅｓｓ：進化したＵＭＴＳ地上無線アクセス）は、モバイルネットワーク向けの３ＧＰＰのＬＴＥアップグレードパスのエアインターフェイスである。ＬＴＥでは、拡張ノードＡＰ（ｅＮＢ）と呼ばれる、基地局またはアクセスポイント（ＡＰ）は、カバレッジエリアまたはセル内でワイヤレスアクセスを提供する。ＬＴＥでは、モバイルデバイス、またはモバイルステーションは、ユーザー装置（ＵＥ）と呼ばれる。ＬＴＥには、多くの改善または開発が含まれている。
【０００４】
ワイヤレスキャリアが直面しているグローバルな帯域幅不足は、例えば、将来のブロードバンドセルラー通信ネットワーク用に未利用のミリ波（ｍｍＷａｖｅ）周波数スペクトルの検討の動機付けを有する。ミリ波（ｍｍＷａｖｅ）（または、極超短波（ｅｘｔｒｅｍｅｌｙ  ｈｉｇｈ  ｆｒｅｑｕｅｎｃｙ）は、例えば、３０−３００ギガヘルツ（ＧＨｚ）の間の周波数範囲を含めることができる。この帯域の電波は、例えば、１０から１ミリメートルの波長を有し、ミリ波帯またはミリ波という名前を与えられる。ワイヤレスデータの量は、今後数年間で大幅に増加する可能性がある。より多くのスペクトルを取得し、より小さなセルサイズを有し、そしてより多くのビット／秒／Ｈｚを可能にする改善された技術を使用するなど、この課題に対処するために、さまざまな手法が使用されている。より多くのスペクトルを取得するために使用できる１つの要素は、より高い周波数、例えば６ＧＨｚ以上に移動することである。第５世代ワイヤレスシステム（５Ｇ）の場合、セルラー無線機器を配備するためのアクセスアーキテクチャは、ミリ波無線スペクトルを使用することが提案されている。ｃｍＷａｖｅ無線スペクトル（３−３０  ＧＨｚ）など他のスペクトル例も使用できる。
【発明の概要】
【０００５】
実装例によると、本願方法は、ソース基地局（ＢＳ）によって、ターゲットＢＳへのハンドオーバー要求を送信するステップと、ソースＢＳによって、ハンドオーバー要求肯定応答の受信に応じて、ターゲットＢＳからのハンドオーバー要求肯定応答を受信するステップと、ソースＢＳにより、ターゲットＢＳに転送されるデータパケットのセットを識別するステップであって、該データパケットのセットは反射マッピング・インジケータを含む、ステップと、データパケットのセットを転送する前に、ソースＢＳにより、データパケットの別のセットを生成するために、データパケットの各セットの反射マッピングインジケータの上でリセット動作を実行するステップと、ソースＢＳにより、ターゲットＢＳへのリセットデータパケットのセットを転送するステップと、を含む。
【０００６】
実装例によると、本願装置は、少なくとも１つのプロセッサと、コンピュータプログラムコードを含む少なくとも１つのメモリとを備え、少なくとも１つのメモリとコンピュータプログラムコードとは、少なくとも１つのプロセッサを用いて、装置に、少なくとも、ハンドオーバー要求をターゲット基地局（ＢＳ）に送信させ、ターゲットＢＳからハンドオーバー要求肯定応答を受信させ、ハンドオーバー要求肯定応答の受信に応じて、ターゲットＢＳに転送されるデータパケットのセットを識別させ、ここで、このデータパケットのセットは反射マッピングインジケータを含み、データパケットのセットを転送する前に、データパケットの別のセットを生成するために、データパケットのセットの反射マッピングインジケーターでリセット動作を実行をさせるように構成される。
【０００７】
実装例によると、本願装置は、ハンドオーバ要求をターゲット基地局に送信する手段と、ターゲット基地局からハンドオーバー要求肯定応答を受信する手段と、ハンドオーバー要求肯定応答の受信に応じて、ターゲット基地局に転送されるデータパケットのセットを識別するための手段であって、そのデータパケットのセットは、反射マッピングインジケータを含む、手段と、データパケットの別のセットを生成するために、データパケットのセットの反射マッピングインジケータの上で、リセット動作を実行する手段と、データパケットの他のセットをターゲット基地局に転送する手段とを含む。
【０００８】
実装例によると、本願コンピュータプログラム製品は、実行可能コードを格納するコンピュータ読み取り可能記憶媒体を含み、その実行可能コードは、少なくとも１つのデータ処理装置によって実行されると、その少なくとも１つのデータ処理装置に、ハンドオーバー要求をターゲット基地局（ＢＳ）に送信するステップと、ハンドオーバー要求肯定応答の受信に応じて、ターゲットＢＳからハンドオーバー要求肯定応答を受信するステップと、ターゲットＢＳに転送されるデータパケットのセットを識別するステップであって、そのデータパケットのセットは反射マッピングインジケータを含む、ステップと、データパケットのセットを転送する前に、データパケットの別のセットを生成するために、データパケットの各セットの反射マッピングインジケーターの上でリセット動作を実行するステップと、データパケットの他のセットをターゲットＢＳに転送するステップとを含む方法を実行させるように構成される。
【０００９】
実装例によると、本願方法は、ユーザー装置（ＵＥ）により、ソース基地局（ＢＳ）からのハンドオーバー・コマンド・メッセージを受信するステップであって、そのハンドオーバーコマンドメッセージはターゲットＢＳに関する情報を含む、ステップと、ハンドオーバーコマンドメッセージを受信した後、ＵＥがターゲットＢＳからデータパケットのセットを受信するステップであって、このデータパケットのセットのデータパケットは反射マッピングインジケータを含み、データパケットのセットのそのデータパケットのこの反射マッピングインジケータは、前記ユーザー装置は、後続のアップリンクデータパケットの反射マッピングにデータパケットを使用することを示す、ステップと、そしてＵＥが、データパケットのセットの少なくとも１つのデータパケットをそれぞれのデータ無線ベアラー（ＤＲＢ）にマッピングするために、マッピング動作を実行するステップであって、マッピング動作は前記少なくとも１つのデータパケットの反射マッピングインジケータの値から独立している、ステップと、を含む。
【００１０】
実装例によると、装置は、１つのプロセッサと、コンピュータプログラムコードを含む少なくとも１つのメモリとを含み、少なくとも１つのメモリとコンピュータプログラムコードとは、少なくとも１つのプロセッサで、装置に、少なくとも、ソース基地局（ＢＳ）からハンドオーバーコマンドメッセージを受信させ、ここで、ハンドオーバーコマンドメッセージは、ターゲットＢＳに関する情報を含むものであり、ハンドオーバーコマンドメッセージを受信した後、ターゲットＢＳからデータパケットのセットを受信させ、データパケットのこのセットのうちのデータパケットは、反射マッピングインジケータを含み、データパケットのセットのデータパケットのこの反射マッピングインジケータは、ユーザ装置は、後続のアップリンクデータパケットの反射マッピングに対するデータパケットを使用することを示しており、データパケットのセットの少なくとも１つのデータパケットをそれぞれのデータ無線ベアラー（ＤＲＢ）にマッピングするために、マッピング動作を実行させるように構成され、ここで、このマッピング動作は、少なくとも１つのデータパケットのそれぞれの反射マッピングインジケータの値に依存しない。
【００１１】
実装例によると、装置は、ソース基地局から、ハンドオーバーコマンドメッセージを受信する手段であって、このハンドオーバーコマンドメッセージは、ターゲット基地局に関する情報を含む、手段と、データパケットのセットを転送する前に、ターゲット基地局からデータパケットのセットを受信する手段と、データパケットのこのセットのうちのデータパケットは、反射マッピングインジケータを含み、データパケットの前記セットのうちの前記データパケットの該反射マッピングインジケータは、前記ユーザー装置は、後続のアップリンクデータパケットの反射マッピングに前記データパケットを使用することを示しており、データパケットの他のセットをターゲット基地局に転送する手段とを含む。
【００１２】
実装例によると、本願コンピュータプログラム製品は、実行可能コードを格納するコンピュータ読み取り可能記憶媒体を含み、該実行可能コードは、少なくとも１つのデータ処理装置によって実行されたとき、少なくとも１つのデータ処理装置に、ソース基地局（ＢＳ）からハンドオーバーコマンドメッセージを受信するステップであって、ここで、ハンドオーバーコマンドメッセージは、ターゲットＢＳに関する情報を含むものである、ステップと、前記ハンドオーバーコマンドメッセージを受信した後に、ターゲットＢＳからデータパケットのセットを受信するステップであって、データパケットのこのセットのうちのデータパケットは、反射マッピングインジケータを含み、データパケットの前記セットのうちの前記データパケットの該反射マッピングインジケータは、前記ユーザー装置は、後続のアップリンクデータパケットの反射マッピングに前記データパケットを使用することを示している、ステップと、ＵＥにより、データパケットの前記セットのうちの少なくとも１つのデータパケットをそれぞれのデータ無線ベアラー（ＤＲＢ）にマッピングするマッピング動作を実行するステップであって、該マッピング動作は前記少なくとも１つのデータパケットの反射マッピングインジケータの値から独立している、ステップとを含む方法を実行させるように構成される。
【００１３】
実装例によると、本願方法は、ターゲットＢＳがソースＢＳからハンドオーバー（ＨＯ）要求を受信するステップと、ターゲットＢＳにより、ターゲットＢＳへのハンドオーバー要求肯定応答を送信するステップと、ＨＯリクエスト確認を送信した後、ソースＢＳが、ターゲットＢＳに転送される転送データパケットのセットを受信するステップであって、転送されたデータパケットのセットのそれぞれが、リフレクティブマッピングインジケーターを含む、ステップと、ターゲットＢＳにより、データパケットの別のセットを生成するために、データパケットの各セットの反射マッピングインジケーターのリセット動作を実行するステップと、を含む。
【００１４】
実装例によると、本願装置には、１つのプロセッサと、コンピュータプログラムコードを含む少なくとも１つのメモリが含まれる。少なくとも１つのメモリとコンピュータプログラムコードは、少なくとも１つのプロセッサで、装置に少なくとも、ソースＢＳからハンドオーバー（ＨＯ）要求を受信させ、ハンドオーバー要求の確認応答をターゲットＢＳに送信させ、ＨＯリクエスト確認を送信した後、ターゲットＢＳに転送されるべき、転送された一連のデータパケットを受信させ、ここで、転送されたデータパケットのセットのそれぞれは、リフレクティブマッピングインジケーターを含ものであり、データパケットの別のセットを生成するために、データパケットの各セットの反射マッピングインジケーターでリセット動作を実行させるように構成される。
【００１５】
実施例によれば、装置は、ソースＢＳからハンドオーバー（ＨＯ）要求を受信する手段と、ターゲットＢＳにハンドオーバー要求肯定応答を送信する手段と、ＨＯ要求肯定応答を送信した後、ターゲットＢＳに転送される転送データパケットのセット受信するための手段であって、転送されたデータパケットのセットのそれぞれは、リフレクティブマッピングインジケーターを含む、手段と、データパケットの別のセットを生成するために、データパケットの各セットの反射マッピングインジケーターでリセット動作を実行するための手段とを含む。
【００１６】
実装例によると、コンピュータプログラム製品は、実行可能なコードを保存するコンピュータ可読記憶媒体を含む。実行可能なコードは、少なくとも１つのデータ処理装置によって実行された場合、少なくとも１つのデータ処理装置に、ソースＢＳからのハンドオーバー（ＨＯ）要求を受信するステップと、ハンドオーバー要求肯定応答をターゲットＢＳに送信するステップと、ＨＯリクエスト確認を送信した後、ターゲットＢＳに転送される転送データパケットのセットを受信するステップであって、転送されたデータパケットのセットのそれぞれが、リフレクティブマッピングインジケーターを含む、ステップと、データパケットの別のセットを生成するために、データパケットの各セットの反射マッピングインジケーターでリセット動作を実行するするステップと、を含む方法を実行させるように構成されている。
【００１７】
実装の１つ以上の例の詳細が、添付の図面および以下の説明に記載されている。その他の機能は、説明と図面から、および、請求項から明らかになる。
【図面の簡単な説明】
【００１８】
【図１Ａ】図１Ａは、実施例による無線ネットワークのブロック図である。
【図１Ｂ】図１Ｂは、例示的なＱｏＳアーキテクチャを示す図である。
【図１Ｃ】図１Ｃは、ＳＤＡＰヘッダーを使用したＰＤＵ形式の例示的なダウンリンクデータパケットを示す図である。
【図２】図２は、実装例によるアップリンクデータパケットをＤＲＢにバインドする技術を示すシーケンス図である。
【図３】図３は、別の実装例によるアップリンクデータパケットをＤＲＢにバインドするの技術を示すシーケンス図である。
【図４】図４は、実装例によるネットワークを示す図である。
【図５】図５は、実装例によるソース基地局の動作を示すフローチャートである。
【図６】図６は、実装例によるユーザ機器の動作を示すフローチャートである。
【図７】図７は、実装例によるターゲット基地局の動作を示すフローチャートである。
【図８】図８は、実装例による（例えば、基地局／アクセスポイント、中継ノード、または、モバイルステーション／ユーザーデバイスなど）ノードまたは無線局のブロック図である。
【発明を実施するための形態】
【００１９】
図１Ａは、実装例による無線ネットワーク１３０のブロック図である。図１の無線ネットワーク１３０では、ユーザーデバイス１３１、１３２、１３３および１３５は、また、移動局（ＭＳ）またはユーザ機器（ＵＥの）と呼ぶことができるが、基地局（ＢＳ）１３４および１３５のいずれかと接続（および通信）することができる。これらの各々は、アクセスポイント（ＡＰ）、拡張ノードＢ（ｅＮＢ）、ｇＮＢ（５Ｇ基地局の場合がある）、または、ネットワークノードとも呼ぶことができる。アクセスポイント（ＡＰ）、基地局（ＢＳ）、または、（ｅ）ノードＢ（ｅＮＢ）の機能の少なくとも一部は、ＲＲＨ（リモートラジオヘッド）など、どのノード、トランシーバーに動作可能に結合されるサーバーまたはホストでも実行できる。ＢＳ（またはＡＰ）１３４および１３５は、ＢＳ１３４からのユーザーデバイス１３１と１３２、および、ＢＳ１３５からのユーザーデバイス１３３へそれぞれのセル１３６および１３７内に無線カバレッジを提供する。１つまたは２つのユーザーデバイスのみ、ＢＳ１３４および１３５に接続または接続されているものとして示されているが、任意の数のユーザーデバイスを提供できる。ＢＳ１３４およびＢＳ１３５は、それぞれのインターフェース１５１および５２を介してコアネットワーク１５０にも接続されている。これは、ワイヤレスネットワークの１つの単純な例にすぎず、他の例も使用できる。
【００２０】
ユーザーデバイス（ユーザー端末、ユーザー装置（ＵＥ））は、加入者識別モジュール（ＳＩＭ）の有無にかかわらず動作するワイヤレスモバイル通信デバイスを含むポータブルコンピューティングデバイスを指すことができる。モバイルステーション（ＭＳ）、携帯電話、携帯電話、スマートフォン、携帯情報端末（ＰＤＡ）、ハンドセット、ワイヤレスモデムを使用するデバイス（アラームまたは測定デバイスなど）、ラップトップおよび／またはタッチスクリーンコンピューター、タブレット、ファブレット、ゲームコンソール、ノートブック、マルチメディアデバイスなどの種類のデバイスが含まれるが、これらに限定されるものではない。例えば、画像またはビデオクリップをネットワークにロードするカメラまたはビデオカメラなどユーザーデバイスは、ほぼ排他的なアップリンクのみのデバイスであり得ることは理解されるべきである。
【００２１】
例として、ＬＴＥでは、コアネットワーク１５０は、ＥＰＣ（Ｅｖｏｌｖｅｄ  Ｐａｃｋｅｔ  Ｃｏｒｅ）と呼ばれる場合がある。それは、ＢＳ間のユーザーデバイスのモビリティ／ハンドオーバーを処理または支援することができるモビリティ管理エンティティ（ＭＭＥ）、ＢＳとパケットデータネットワークまたはインターネットと間のデータおよび制御信号を転送できる１つまたは複数のゲートウェイ、および、その他の制御機能またはブロックを含むことができる。
【００２２】
さまざまな実装例は、ＬＴＥ、ＬＴＥ−Ａ、５Ｇ（Ｎｅｗ  Ｒａｄｉｏ、またはＮＲ）、ｃｍＷａｖｅ、ｍｍＷａｖｅバンドネットワーク、または、その他のワイヤレスネットワークまたはユースケースなど、さまざまなワイヤレステクノロジー、ワイヤレスネットワークに適用できる。ＬＴＥ、５Ｇ、ｃｍＷａｖｅおよびミリ波帯ネットワークは、単に例示的な例として提供され、さまざまな実装例が、任意のワイヤレステクノロジー／ワイヤレスネットワークに適用できる。さまざまな実装例も、また、例えば、超信頼性の低遅延通信（ＵＲＬＬＣ）、モノのインターネット（ＩＯＴ）、拡張されたモバイルブロードバンド、Ｍａｓｓｉｖｅ  Ｍａｃｈｉｎｅ  Ｔｙｐｅ  Ｃｏｍｍｕｎｉｃａｔｉｏｎｓ（ＭＭＴＣ）、車車間（Ｖ２Ｖ）、車車間など、さまざまなアプリケーション、サービス、またはユースケースに適用できる。これらのユースケースまたはＵＥのタイプには、それぞれ独自の要件がある。
【００２３】
図１Ｂは、例示的な、図１Ａに示す無線ネットワーク１３０の５Ｇ・ＱｏＳアーキテクチャ１００を示す図である。５Ｇ・ＱｏＳアーキテクチャ１００は、フローベースのＱｏＳモデルに基づいており、ＥＰＣに接続されたＬＴＥとは異なり、５Ｇ無線アクセスネットワーク（ＲＡＮ）は、エンドツーエンドのＱｏＳフローをデータ無線ベアラー（ＤＲＢ）に動的にマッピングできる。
【００２４】
ＱｏＳアーキテクチャ１３０では、次世代ＲＡＮ（ＮＧ−ＲＡＮ）１６０は、ＵＥ１３２およびＢＳ１３４を含む。ＮＧ−ＲＡＮ１６０は、５Ｇコアネットワーク（５ＧＣ）１７０に接続されている。これには、ユーザープレーン関数（ＵＰＦ）１７２が含まれる。図１Ｂに示すように、プロトコルデータユニット（ＰＤＵ）セッション１６２（つまり、ＵＥ１３２などのＵＥと５ＧＣ１７０などのデータネットワークとの間の接続は、アーキテクチャ１００内で定義される。ＰＤＵセッション１６２内には、ＤＲＢ１６４（１）、１６４（２）、および、ＮＧ−Ｕトンネル１７４が、定義されている。図１Ｂにも示されるように。２つのＱｏＳフロー１６６（１）および１６６（２）が、ＤＲＢ１６４（１）にマッピングされ、１つのＱｏＳフロー１６６（３）が、ＤＲＢ１６４（２）にマッピングされている。
【００２５】
ＮＧ−ＲＡＮ１６０におけるＱｏＳアーキテクチャ１００は、５ＧＣ１７０に接続されたＮＲ（Ｎｅｗ  Ｒａｄｉｏ）５ＧＣ１７０に接続されたＥ−ＵＴＲＡ（Ｅｖｏｌｖｅｄ  ＵＭＴＳ地上無線アクセス）の両方に対して、以下の機能を有する。
−  各ＵＥ（例えば、ＵＥ１３２）に対して、５ＧＣ１７０は、１つ以上のＰＤＵのセッション（例えば、ＰＤＵセッション１６２）を確立する。
−  各ＵＥに対して、ＮＧ−ＲＡＮ１６０は少なくとも１つのＤＲＢ（例えば、ＤＲＢ１６４（１）および１６４（２））を、ＰＤＵセッション１６２と一緒に確立し、そして、ＰＤＵセッション１６２のＱｏＳフロー（単数または複数）のための追加のＤＲＢ（Ｓ）を、その後、設定できる。
−  ＮＧ−ＲＡＮ１６０は、異なるＰＤＵセッションに属するパケットを異なるＤＲＢにマッピングする。
−  ＵＥ１３２および５ＧＣ１７０におけるＮＡＳレベルのパケットフィルタは、ＵＬおよびＤＬパケットをＱｏＳフローに関連付ける。
−  ＵＥ１３２およびＮＧ−ＲＡＮ１６０におけるＡＳレベルのマッピングルールは、ＵＬおよびＤＬ  ＱｏＳフローをＤＲＢに関連付ける。
【００２６】
ＮＧ−ＲＡＮ１６０および５ＧＣ１７０は、パケットを適切なＱｏＳフローとＤＲＢにマッピングすることによりサービス（信頼性やターゲット遅延など）の品質を保証する。したがって、ＱｏＳフローへ（ＮＡＳ）、および、ＱｏＳフローからＤＲＢへ（アクセス層（ＡＳ））、ＩＰフロー（データパケットのストリーム）の２ステップマッピングが存在する。
【００２７】
ＮＧ−ＲＡＮ１６０は、ＱｏＳフローをＤＲＢにマッピングする方法を独立して決定できる。ＵＥ側のマッピングをアップリンクマッピングに設定するには、少なくとも２つの方法がある。
−  ［反射マッピング］：各ＤＲＢについて、ＵＥはダウンリンクパケットのＱＦＩを監視し、アップリンクにおいて同じマッピングを適用する。つまり、ＤＲＢの場合、ＵＥは、そのＤＲＢのダウンリンクパケットで観察されるＱＦＩおよびＰＤＵセッションに対応してＱｏＳフローに属するアップリンクパケットをマッピングする。この反射マッピングを有効にするために、ＮＧ−ＲＡＮ１６０は、Ｕｕを渡って（つまり、ＵＥ１３２とＢＳ１３４の間の無線インターフェイス）それぞれのＱＦＩでダウンリンクパケットをマークする。
−  ［明示的な構成］：ＮＧ−ＲＡＮ１６０は、無線リソース制御（ＲＲＣ）によるＤＲＢマッピングへのＵＬＱｏＳフローを構成する。ＵＥ１３２は、マッピングの反映または明示的な構成を介して実行されるかどうかに関係なく、常にマッピングルールの最新の更新を適用する。
【００２８】
図１Ｃは、ＳＤＡＰヘッダ１９０を有するＰＤＵフォーマットを有する例示的なダウンリンクデータパケット１８０を示す図である。ダウンリンクデータパケット１８０は、ＳＤＡＰヘッダー１９０、および、データ部分１８８（１）、．．．、１８８（Ｎ−１）を含む。ＳＤＡＰヘッダ１９０は、ＲＤＩビット１８２、ＲＱＩ部分１８４、および、ＱＦＩ部分１８６を含む。
【００２９】
ＮＧ−ＲＡＮ１６０は、ＳＤＡＰヘッダー１９０のＲＤＩビット１８２で反射マッピングを制御する。ＲＤＩビット１８２は、ＤＲＢマッピング規則へのＱｏＳフローを更新すべきかどうかを示す。ＲＤＩビット１８２は、
【表１】
2020061732.tif 000003
の値を有する。例えば、ＲＤＩビット１８２が「０」である場合、ＵＥ１３２（ＳＤＡＰ層）は何のアクションもとらない。ＲＤＩビット１８２が「１」である場合、ＵＥ１３２はマッピング規則を保存する。
【００３０】
さらに、ＮＧ−ＲＡＮ１６０は、ソースｇＮＢ（例えば、ＢＳ１３４）からターゲットｇＮＢ（例えば、ＢＳ１３５）へロスレスハンドオーバー（ＨＯ）をサポートする。５Ｇネットワーク内でＨＯを実行する従来のアプローチでは、ターゲットｇＮＢは、転送されるトラフィックのソースｇＮＢのＤＲＢを複製しなければならない。したがって、転送されたパケットは、ソースｇＮＢマッピングテーブルにしたがってマッピングされる。
【００３１】
５Ｇネットワーク内でＨＯを実行するための上記の従来のアプローチでは、ＨＯ後に意図されたターゲットｇＮＢではなく、ソースｇＮＢにしたがって、ＱｏＳフローがＤＲＢにマッピングされる可能性がある。例えば、ソースｇＮＢから転送されたＳＤＡＰ  ＰＤＵには、反射マッピングＲＤＩビットが設定されていることがあり得る。これらのＲＤＩビット設定は、ターゲットｇＮＢのＵＬ  ＱｏＳフローマッピング決定を変更することができる。すなわち、ＱｏＳフローは、ハンドオーバー後にターゲットｇＮＢにしたがって間違ったＤＲＢにマッピングされることがあり得る。これにより、帯域幅の減少など、ユーザーにとって通話の切断という点で問題が発生することがあり得る。
【００３２】
例えば、ＵＥがソースｇＮＢに２つのＤＲＢ、ＤＲＢ１とＤＲＢ２を持っていると仮定する。また、ソースｇＮＢのマッピングテーブルが、識別子ＱＦＩ１を持つＱｏＳフローがＤＲＢ１にマッピングされ、および、識別子ＱＦＩ２およびＱＦＩ３を持つＱｏＳフローはＤＲＢ２にマッピングされるるようであるとする。以下の表２は、このマッピングを示している。
【表２】
2020061732.tif 000004
さらに、ターゲットｇＮＢが３番目のＤＲＢ（ＤＲＢ３）を確立し、また、マッピングテーブルはＱＦＩ３をＤＲＢ２ではなくＤＲＢ３にマッピングするとする。以下の表３は、このマッピングを示している。
【表３】
2020061732.tif 000005
ソースｇＮＢの送信バッファーは、ＲＤＩビットが１に設定されたパケットを有することができる。ＲＤＩビットが（例えば、「１」に）設定されたパケットは、ターゲットｇＮＢに転送され、その後、ＵＥに送信される。ＵＥは、所定のＱＦＩに対して反射アップリンクマッピングを実行できる。この反射アップリンクマッピングは、ターゲットｇＮＢの新しいマッピング構成を変更することができる。上記の例の場合、ソースｇＮＢは、ＱＦＩ３と等しいＱＦＩ、および、「１」に設定されているＲＤＩビットを持つＤＲＢ２の送信バッファーにデータパケットを有する。そのデータパケットは、Ｘｎトンネルに固有のＤＲＢ２を介してターゲットｇＮＢに転送される。このデータパケットは、ＤＲＢ２を介してＵＥに送信される。結果として、ＵＥは反射マッピングを実行し、ＱＦＩ３に等しいＱＦＩをＤＲＢ２に戻してアップリンクデータパケットをマッピングする。したがって、ターゲットｇＮＢが異なるマッピングテーブル（表３）を使用している場合でも、初期マッピングテーブル（表２）にしたがって、データパケットはマッピングされる。
【００３３】
上記の従来のアプローチとは対照的に、５Ｇネットワーク内でＨＯを実行するために、５Ｇネットワーク内でＨＯを実行する改善された手法は、次のアプローチの少なくとも１つを含む。１つのアプローチでは、ソースｇＮＢは、転送されたＳＤＡＰ  ＰＤＵ、つまり、転送されたダウンリンクデータパケットからマッピングインジケーターをリセットする。例えば、ソースｇＮＢは、転送された各ＳＤＡＰ  ＰＤＵのＳＤＡＰヘッダーのＲＤＩビットを、「０」に設定することができる。そのため、ＱＦＩとＤＲＢ間のマッピングテーブルで表されるマッピングの変更は、ＵＥによって保存されない。したがって、後続のアップリンクデータパケットは、ソースｇＮＢのマッピングテーブルにしたがってマッピングされない。別のアプローチでは、ＵＥは、転送されたダウンリンクデータパケットのマッピングインジケータを無視するように構成される。すなわち、ソースｇＮＢからのハンドオーバーコマンドメッセージの受信に応じて、ＵＥは、ソースｇＮＢからのマッピングテーブルの更新に応答しない。また、後続のアップリンクデータパケットは、ソースｇＮＢのマッピングテーブルにしたがって、マッピングされない。
【００３４】
有利なことに、アップリンクデータパケットのＱｏＳフローは、ソースｇＮＢではなく、ターゲットｇＮＢからのマッピングテーブルにしたがって、ＤＲＢにマッピングされる。これにより、通話品質、帯域幅などの点でＵＥを使用して、ユーザーは優れたエクスペリエンスを維持できる。
【００３５】
図２は、実装例による、５Ｇネットワーク内のＨＯを実行する技術を示す図である。ＵＥ２３２において、ＢＳ２３４（ソースｇＮＢ）およびＢＳ２３５（ターゲットｇＮＢ）は、図示されているように、通信している。ＢＳ１３４およびＢＳ１３５のそれぞれは、コアネットワーク（例えば、５ＧＣ）と通信していることは理解されている。
【００３６】
ＨＯを実行する改善された手法のこの実装では、ＢＳ２３４は、ターゲットｇＮＢにパケットを送信する前に、転送されたデータパケットのＲＤＩビットを「０」に（再）設定する。したがって、データパケットは、反射マッピングを実行するように、ＵＥ２３２をトリガーしない。転送されるパケットには、次の２つのタイプがある。
−  ［ＨＯトリガーの後、ＮＧ−Ｕを介してＢＳ２３４へユーザープレーン機能（ＵＰＦ）から到着する新鮮なパケット］。ＢＳ２３４は、これらのパケットのＲＤＩを「０」に設定する必要がある。その後、パケットは別のｇＮＢに送信することができ、ＢＳ２３４は、ターゲットＢＳ（ＢＳ２３５など）のＤＲＢマッピングに影響を与えてはならない。−  ［ソースｇＮＢのＳＤＡＰレイヤーがＨＯトリガーの前にすでに処理したパケット］。これらのパケットのＲＤＩは、ＨＯトリガーの前の「１」に設定して可能性があり得る。したがって、Ｘｎトンネルを介してターゲットｇＮＢ（ＢＳ２３５など）に送信する前にＲＤＩが「１」だった場合、ソースｇＮＢ（ＢＳ２３４など）はＲＤＩを「０」にリセットする必要がある。いくつかの実装では、Ｘｎインターフェイスを介してそれらを受信した後、ターゲットｇＮＢ（ＢＳ２３５）は、転送されたすべてのパケットのＲＤＩを「０」にリセットできる。
【００３７】
最初に、２０１において、ＵＥ２３２とＢＳ２３４のみが通信を行い、データパケットを交換している。２０２において、ＢＳ２３４は、ＢＳ２３５へのＨＯを開始するためにトリガーされる。いくつかの実装では、ＢＳ２３４は、接続確立時または最後の追跡エリアの更新時に提供されたローミングとアクセス制限についての情報に基づいてトリガーされる。いくつかの実装では、ＢＳ２３４は、無線リソース管理（ＲＲＭ）情報に基づいてトリガーされる。
【００３８】
２０４において、ＢＳ２３４は、ターゲット側でハンドオーバを準備するために必要な情報を有する透過的な無線リソース制御（ＲＲＣ）コンテナーを渡して、ＢＳ２３５にハンドオーバー要求メッセージを発行する。この情報は、少なくとも、ターゲットセルＩＤ、ＫｇＮＢ＊、ＢＳ２３４内のＵＥ２３２のＣ−ＲＮＴＩ、ＵＥの非アクティブ時間を含むＲＲＭ構成、アンテナ情報およびダウンリンクキャリア周波数を含む基本的なＡＳ構成、ＵＥ２３２に適用されるＤＲＢマッピングへの現在のＱｏＳフロー、ＢＳ２３４からの最小システム情報、さまざまな無線アクセス技術（ＲＡＴ）のＵＥ機能、ＰＤＵセッション関連情報、を含み、そして、可能な場合ビーム関連情報を含むＵＥが報告した測定情報を含むことができる。ＰＤＵセッション関連情報は、スライス情報（サポートされている場合）およびＱｏＳフローレベルＱｏＳプロファイルを含む。
【００３９】
２０６において、ＢＳ２３５は入場制御を実行する。スライス情報がＢＳ２３５に送信される場合、スライス認識アドミッション制御が実行され得る。ＰＤＵセッションがサポートされていないスライスに関連付けられている場合、ＢＳ２３５はそのようなＰＤＵセッションを拒否する。
【００４０】
２０８において、ＢＳ２３５は、レイヤー１（例えば、ＰＨＹレイヤー）およびレイヤー２（ＭＡＣレイヤー、ＲＬＣレイヤー、ＰＤＣＰレイヤーなど）で、ＨＯを準備し、そして、ハンドオーバ要求ＡＣＫ（Ｈａｎｄｏｖｅｒ  Ｒｅｑｕｅｓｔ  Ａｃｋｎｏｗｌｅｄｇｅ）をＢＳ２３４に送信する。ハンドオーバ要求ＡＣＫメッセージは、ＨＯを実行するＲＲＣメッセージとしてＵＥ２３２に送信される透明コンテナを含む。この動作２０８で、ターゲットｇＮＢ（すなわち、ＢＳ２３５）マッピングが定義される。すなわち、ターゲットｇＮＢは、ＵＥ２３２にＲＲＣ構成を提供する。
【００４１】
２１０において、ＢＳ２３４はＨＯをトリガーし、ＵＥ２３２へのハンドオーバ−コマンド（Ｈａｎｄｏｖｅｒ  Ｃｏｍｍａｎｄ）メッセージを含むＲＲＣ再構成メッセージを送信する。このハンドオーバーコマンドメッセージは、ＢＳ２３５にアクセスするために必要な情報を搬送する。これは、少なくともターゲットセルＩＤ、新しいセル無線ネットワーク一時識別子（Ｃ−ＲＮＴＩ）を含む。選択したセキュリティアルゴリズムのターゲットｇＮＢセキュリティアルゴリズム識別子は、専用のランダムアクセスチャネル（ＲＡＣＨ）リソースのセット、ＲＡＣＨリソースと同期信号（ＳＳ）ブロック間の関連付け、ＲＡＣＨリソース間の関連付けおよびＵＥ固有のチャネル状態情報参照信号（ＣＳＩ−ＲＳ）構成、共通ＲＡＣＨリソース、および、ターゲットセルシステム情報ブロック（ＳＩＢ）などを含むことができる。
【００４２】
ハンドオーバーコマンドメッセージには、ターゲットセルにアクセスするために必要な少なくともセルＩＤとすべての情報が含まれる。そのため、ＵＥはシステム情報を読み取らずにターゲットセルにアクセスできる。場合によっては、競合ベースおよび競合のないランダムアクセスに必要な情報を、ハンドオーバーコマンドメッセージに含むことができる。ターゲットセルへのアクセス情報は、ビーム固有の情報を含むことができる。
【００４３】
転送されたパケットは、ソースｇＮＢ（つまり、ＢＳ２３４）テーブルにしたがってマッピングされる。「転送済み」とは、ハンドオーバーに先立って、またはその最中に、ソースｇＮＢにすでに転送中のパケットを意味する。転送されたデータパケットは、マッピングに、ハンドオーバー後に古いマッピングに戻させることができる。パケットのＲＤＩビットがソースｇＮＢにしたがって設定されるためである。
【００４４】
２１２において、ＢＳ２３４は、ＰＤＣＰステータス保存が適用されるＥ−ＵＴＲＡ無線アクセスベアラのアップリンクＰＤＣＰ  ＳＮ受信機ステータスとダウンリンクＰＤＣＰ  ＳＮ送信機ステータスを伝えるために、シーケンス番号（ＳＮ）ステータス転送メッセージをＢＳ２３５に送信する。
【００４５】
２１４において、ＵＥ  ２３２は、新しいセル（例えば、図１のセル１５２）に同期し、そして、古いセル（例えば、セル１５１）から切り離す。
【００４６】
２１６において、ＨＯを実行する改善された手法の一部として、ＢＳ２３４は、バッファリングされた転送中のＤＬデータパケットのＳＤＡＰヘッダーのＲＤＩビットをリセットする。いくつかの実装では、ＲＤＩビットのリセットは、そのデータパケットのＤＲＢへのマッピングが、ソースＢＳからのルールではなく、ターゲットＢＳからのルールに基づいていることを示すために、少なくとも１つのダウンリンクデータパケットのＳＤＡＰヘッダー内のＲＤＩビットの値の変更を含む。
【００４７】
２１８において、ＢＳ２３４は、バッファリングされた送信中のＤＬデータパケットをＢＳ２３５に転送する。
【００４８】
２２０において、ＢＳ２３５は、転送されたデータパケットをバッファに入れる。
【００４９】
２２２において、ＵＥ２３２は、ＢＳ２３５と同期し、ＲＲＣ再構成完了（Ｒｅｃｏｎｆｉｇｕｒａｔｉｏｎ  Ｃｏｍｐｌｅｔｅ）メッセージをＢＳ２３５に送信することにより、ＲＲＣハンドオーバー手順を完了する。ＢＳ２３５とＵＥ２３２は、現在通信中であり、データパケットを交換することができる。さらに、ＢＳ２３５のマッピングテーブルにしたがって、アップリンクデータパケットはＤＲＢにマッピングされる。
【００５０】
図３は、別の実装例にしたがって、５Ｇネットワーク内でＨＯを実行する技術を示す図である。ＵＥ３３２において、示すように、ＢＳ３３４（ソースＧＮＢ）およびＢＳ３３５は（ＧＮＢを標的とする）通信している。ＢＳ３３４およびＢＳ３３５の各々が、コアネットワーク（例えば、５ＧＣ）と通信していることが理解される。
【００５１】
第２のソリューションでは、ＵＥは、転送されたすべてのパケットのＲＤＩを無視する。第２のソリューションの詳細は、図４に関して示される。
【００５２】
図４は、例示的な実装による、ハンドオーバー（ＨＯ）でのＸｎインターフェースを介したデータ転送を含む、ネットワーク４００を示す図である。図４に図示されるように、ネットワーク４００は、ソース基地局（ＢＳ）４３４およびターゲットＢＳ４３５を含む。
【００５３】
ソースＢＳ４３４は、サービス適応アクセスプロトコル（ＳＤＡＰ）層４１４、２つのデータ無線ベアラー（ＤＲＢ）４２４（１）および４２４（２）、および、ユーザープレーン関数（ＵＰＦ）のアプリケーション層からデータパケットが到着するＮＤ−Ｕトンネル４６４を含む。ターゲットＢＳ４３５は、ＳＤＡＰ層４１５、３つのデータ無線ベアラー（ＤＲＢ）４２５（１）、４２５（２）および４２４（３）、ユーザープレーン機能（ＵＰＦ）のアプリケーション層、およびゲート４４５からそこを通ってデータパケットが到着するＮＤ−Ｕトンネル４６５を含む。ダウンリンク転送されたパケットが、ＵＥに送信されると、新しいパケットはゲート４４５を通過することに留意する。データパケットは、ＸＮインターフェイス４５０（１）および４５０（２）を介して、ＢＳ４３４とＢＳ４３５の間で転送される。これらは、それぞれＤＲＢ４２５（１）およびＤＲＢ４２５（２）に対応する。
【００５４】
ＤＲＢ４２５（１）およびＤＲＢ４２５（２）は、ＨＯの前にＢＳ４３４によってＵＥ用に構成された。ＢＳ４３５は、ＨＯシグナリングでＤＲＢ４２５（３）を確立したが、それは、転送されたパケットが送られるまで、元のＤＲＢ４２４（１）および４２４（２）を保持することができる。転送されたパケットは、Ｂ  ４３４と同じ方法でマッピングされることができるからである。
【００５５】
それにもかかわらず、いくつかの実装では、ＵＥは、ＢＳ４３５がこれらのデータパケットを保持できるため、常に、元のＤＲＢ４２４（１）および４２４（２）にマップされたデータパケットのＲＤＩを無視できない。そして最終的に、ＱｏＳフローを反射マッピングでそれらのＤＲＢ、すなわち、ＤＲＢ４２５（１）および４２５（２）にマッピングする。これらの線に沿って、ＵＥが、元のＤＲＢ４２４（１）および４２４（２）から受信したダウンリンクデータパケットのＲＤＩを無視することをいつまたはどのように停止するかを制御できる。
−  ［タイマー］．タイマーは、事前に構成された値に基づいているか、またはいくつかの実装では、タイマーは、ＨＯコマンドシグナリングを使用してＢＳ４３４で構成できる。いくつかの実装では、ＢＳ４３４は、送信バッファのデータ量に基づいてタイマーを設定する。
−  ［シーケンス番号（ＳＮ）］．ＢＳ４３４は、バッファリングされたデータパケットの最高のＳＮをＵＥに示すことができる。いくつかの実装では、ＢＳ４３４は、そのような表示を行うために、すべての新しいデータパケットのＲＤＩを０に設定する。
【００５６】
図３に戻ると、最初は、３０１において、ＵＥ３３２およびＢＳ３３４のみが、通信中であり、データパケットを交換している。３０２において、ＢＳ３３４は、ＢＳ３３５へのＨＯを開始するためにトリガーされる。いくつかの実装では、ＢＳ  ３３４は、接続確立時または最後の追跡エリアの更新時にに提供されたローミングとアクセス制限についての情報に基づいてトリガーされる。いくつかの実装では、ＢＳ  ３３４は、無線リソース管理（ＲＲＭ）情報に基づいてトリガーされる。
【００５７】
３０４において、ＢＳ３３４はハンドオーバーを開始し、ハンドオーバー要求メッセージをＢＳ３３５へ、Ｘｎインターフェイス経由して発行する。ＢＳ３３４は、ターゲット側でハンドオーバーを準備するために必要な情報を有する透過的無線リソース制御（ＲＲＣ）コンテナーを渡す。この情報は、少なくともターゲットセルＩＤ、ＫｇＮＢ＊、ＢＳ３３４内のＵＥ３３２のＣ−ＲＮＴＩ、ＵＥの非アクティブ時間を含むＲＲＭ構成、アンテナ情報を含む基本的なＡＳ構成およびダウンリンクキャリア周波数、ＵＥ３３２に適用されるＤＲＢマッピングへの現在のＱｏＳフロー、ＢＳ３３４からの最小システム情報、さまざまな無線アクセス技術（ＲＡＴ）のＵＥ機能、ＰＤＵセッション関連情報を含み、そして、可能な場合はビーム関連情報を含む、ＵＥが報告した測定情報を含むことができる。ＰＤＵセッション関連情報は、スライス情報（サポートされている場合）およびＱｏＳフローレベルのＱｏＳプロファイルを含む。
【００５８】
３０６において、ＢＳ３３５はアドミッションコントロールを実行する。スライス情報がＢＳ３３５に送信される場合、スライス対応のアドミッションコントロールを実行できる。ＰＤＵセッションがサポートされていないスライスに関連付けられている場合、ＢＳ３３５は、このようなＰＤＵセッションを拒否する。
【００５９】
３０８において、ＢＳ３３５は、レイヤ１のＨＯ（例えば、ＰＨＹレイヤー）およびレイヤー２（例えば、ＭＡＣレイヤー、ＲＬＣレイヤー、ＰＤＣＰレイヤーなど）を準備し、ＢＳ  ３３４にハンドオーバー要求肯定応答メッセージ（Ｈａｎｄｏｖｅｒ  Ｒｅｑｕｅｓｔ  Ａｃｋｎｏｗｌｅｄｇｅ）を送信する。ハンドオーバー要求肯定応答メッセージは、ＵＥ  ３３２に送信される透明コンテナを、ＨＯを実行するためのＲＲＣメッセージとして含む。これは、ターゲットｇＮＢ（つまり、ＢＳ  ２３５）マッピングが定義されている、つまり、ターゲットｇＮＢはＵＥ  ２３２にＲＲＣ構成を提供する場合、この動作２０８におけるものである。
【００６０】
３１０において、ＢＳ３３４はＨＯをトリガーし、ＵＥ３３２へ、ハンドオーバーコマンドメッセージを含むＲＲＣ再構成メッセージを送信する。ハンドオーバーコマンドメッセージは、ＢＳ３３５にアクセスするために必要な情報を搬送する。これは、少なくとも、ターゲットセルＩＤ、新しいセル無線ネットワーク一時識別子（Ｃ−ＲＮＴＩ）を含み。選択したセキュリティアルゴリズム対するターゲットｇＮＢセキュリティアルゴリズム識別子は、専用のランダムアクセスチャネル（ＲＡＣＨ）リソースのセット、ＲＡＣＨリソースと同期信号（ＳＳ）ブロック間の関連付け、ＲＡＣＨリソースとＵＥ固有のチャネル状態情報参照信号（ＣＳＩ−ＲＳ）構成との間の関連付け、一般的なＲＡＣＨリソース、および、ターゲットセルシステム情報ブロック（ＳＩＢ）などを含むことができる。
【００６１】
ハンドオーバーコマンドメッセージは、少なくとも、セルＩＤおよびターゲットセルにアクセスするために必要なすべての情報を含む。そのため、ＵＥはシステム情報を読み取らずにターゲットセルにアクセスできる。いくつかのケースでは、競合ベースおよび競合のないランダムアクセスに必要な情報を、ハンドオーバーコマンドメッセージに含めることができる。ターゲットセルへのアクセス情報は、もしあれば、ビーム固有の情報を含むことができる。
【００６２】
転送されたパケットは、ソースｇＮＢ（つまり、ＢＳ  ３３４）テーブルにしたがってマッピングされる。「転送済み」とは、ハンドオーバーに先立って、またはその最中に、ソースｇＮＢにすでに転送中のパケットを意味する。転送されたデータパケットは、ハンドオーバー後に古いマッピングに戻すためにマッピングが発生させることができる。パケットのＲＤＩビットがソースｇＮＢにしたがって設定されるためである。
【００６３】
３１２において、ＢＳ３３４は、ＰＤＣＰステータス保存が適用されるＥ−ＵＴＲＡ無線アクセスベアラーの、アップリンクＰＤＣＰ  ＳＮ受信機ステータスとダウンリンクＰＤＣＰ  ＳＮ送信機ステータスを伝えるために、シーケンス番号（ＳＮ）ステータス転送メッセージをＢＳ３３５に送信する。
【００６４】
３１４において、ＵＥ３３２は、新しいセル（例えば、図１のセル１５２）に同期し、古いセル（例えば、セル１５１）から切り離される。
【００６５】
３１６において、ＢＳ３３４は、バッファリングされた送信中のＤＬデータパケットをＢＳ３３５に転送する。
【００６６】
３１８において、ＢＳ３３５は、転送されたデータパケットをバッファに入れる。
【００６７】
３２０において、ＵＥ３３２は、ＢＳ３３５に同期し、ＲＲＣ再構築完了メッセージをＢＳ３３５に送信することにより、ＲＲＣハンドオーバー手順を完了する。ＢＳ３３５とＵＥ３３２は、現在通信中であり、データパケットを交換することができる。
【００６８】
３２２において、ＢＳ３３５は、バッファリングされたダウンリンクデータパケットをＵＥ３３２に送信する。
【００６９】
３２４において、ＨＯを実行する改善された手法の一部として、受信したダウンリンクデータパケットのＳＤＡＰヘッダーのＲＤＩビット値とは無関係に、ＵＥ３３２は、アップリンクデータパケットをＤＲＢに反射的にマッピングする。いくつかの実装では、アップリンクデータパケットのＤＲＢへのマッピングは、ダウンリンクデータパケットのＲＤＩビット値に関係なく、トリガーに到達するまで継続する。つまり、ＲＤＩは反射型ＱｏＳインジケータである。ＲＤＩビットが１に設定されている場合、ＵＥは反射マッピングを行う。いくつかの実装では、ＲＤＩビットが設定されていない場合、ＵＥは、ダウンリンクパケットに基づいてアップリンクパケットマッピングを更新しない。むしろ、ＵＥは既に持っているマッピングルールを使用する。
【００７０】
いくつかの実装では、トリガーは、指定された時間が経過する必要がある。いくつかの実装では、指定された時間が、コアネットワークによって信号伝達される。いくつかの実装では、指定された時間は、ハンドオーバーコマンドメッセージで信号伝達される。いくつかの実装では、指定された時間は（例えば、ＢＳ３３５に保存された）送信バッファにおけるデータ量に基づいている。
【００７１】
いくつかの実装では、トリガーには、バッファリングされたデータパケットのしきい値ＳＮが含まれる。いくつかの実装では、しきい値ＳＮは、コアネットワークによって信号伝達される。いくつかの実装では、しきい値ＳＮは、ハンドオーバーコマンドメッセージで信号伝達される。
【００７２】
３２６において、ＵＥ３３２は、アップリンクデータパケットをＢＳ３３５に送信する。これらのデータパケットは、ＢＳ３３５のマッピングテーブルにしたがってＤＲＢにマッピングされる。
【００７３】
例１：図５は、実装例による、ソース基地局（ＢＳ）の動作を示すフローチャートである。動作５１０にはソースＢＳにより、ハンドオーバー（ＨＯ）リクエストをターゲットＢＳに送信する。動作５２０には、ソースＢＳにより、ターゲットＢＳからハンドオーバー要求肯定応答を受信する。動作５３０には、ＨＯ要求肯定応答の受信に応じて、ソースＢＳにより、ターゲットＢＳに転送されるデータパケットのセット、反射マッピングインジケータを含むデータパケットのセットのそれぞれを識別する。動作５４０には、データパケットのセットを転送する前に、ソースＢＳにより、データパケットの別のセットを生成するデータパケットの各セットの反射マッピングインジケータのリセット動作を実行し、動作５５０は、ソースＢＳによって、データパケットの別のセットをターゲットＢＳに転送することを含む。
【００７４】
例２：例１の実装例によると、データパケットの各セットは、サービスデータアダプテーションプロトコル（ＳＤＡＰ）ヘッダーを含み、反射マッピングインジケータは、ＳＤＡＰヘッダー内に反射マッピング表示（ＲＤＩ）ビットを含む。
【００７５】
例３：例２の実装例によれば、データパケットの各セットの反射マッピングインジケーターでリセット動作を実行することは、そのデータパケットのＤＲＢへのマッピングが、ソースＢＳのルールではなく、ターゲットＢＳのルールに基づいていることを示すために、データパケットのセットのデータパケットのＳＤＡＰヘッダー内のＲＤＩビットの値の変更を含む。
【００７６】
例４：例１の実装例によれば、データパケットのセットのデータパケットの反射マッピングインジケータは、既存のマッピングルールに基づいて、アップリンクデータパケットをデータ無線ベアラにマッピングするかどうかを示す。
【００７７】
例５：例４の実装例によれば、マッピングルールにはマッピングテーブルが含まれる。
【００７８】
例６：例４の実装例によれば、データパケットの他のセットは、既存のマッピングルールに基づいて、アップリンクデータパケットがデータ無線ベアラーにマッピングされることを示す反射マッピングインジケータを有する。
【００７９】
例７：図６は、別の実装例による、ユーザ機器（ＵＥ）の動作を示すフローチャートである。動作６１０は、ユーザ機器（ＵＥ）による、ソース基地局（ＢＳ）からのハンドオーバーコマンドメッセージ、ターゲットＢＳに関する情報を含むハンドオーバーコマンドメッセージの受信を含む。動作６２０は、ハンドオーバーコマンドメッセージを受信した後、ＵＥが、ターゲットＢＳから、データパケットのストリームを受信することを含む。データパケットのストリームの各データパケットは、サービス品質フロー識別子（ＱＦＩ：Ｑｕａｌｉｔｙ  ｏｆ  Ｓｅｒｖｉｃｅ  Ｆｌｏｗ  Ｉｄｅｎｔｉｆｉｅｒ）および反射マッピングインジケーター、後続のアップリンクデータパケットの反射マッピングのためにユーザー装置がデータパケットを使用することを示すデータパケットのストリームのデータパケットの反射マッピングインジケータを含む。動作６３０は、ＵＥにより、データパケットのストリームの少なくとも１つのデータパケットをそれぞれのデータ無線ベアラー（ＤＲＢ）にマッピングするマッピング動作を実行することを含む。このマッピング動作は、少なくとも１つのデータパケットのそれぞれの反射マッピングインジケータの値に依存しない。
【００８０】
例８：例７の実装例によれば、この方法は、指定された時間が経過するまでマッピング動作を停止することをさらに含む。
【００８１】
例９：例８の実装例によれば、指定された時間がネットワークによって信号伝達される。
【００８２】
例１０：例８の実装例によれば、指定された時間が、ハンドオーバーコマンドメッセージで信号伝達される。
【００８３】
例１１：例８の実装例によれば、指定された時間は、送信バッファのデータ量に基づいている。
【００８４】
例１２：例７の実装例によれば、この方法は、バッファされたデータパケットのしきい値シーケンス番号（ＳＮ）に達するまでマッピング動作を停止することをさらに含む。
【００８５】
例１３：例１２の実装例によれば、しきい値ＳＮはネットワークから信号伝達される。
【００８６】
例１４：例７の実装例によれば、データパケットのセットのデータパケットは、サービス品質フローインジケータをさらに含み、データパケットは、データパケットのサービス品質（Ｑｕａｌｉｔｙ  ｏｆ  Ｓｅｒｖｉｃｅ）フローインジケータに基づいて、後続のアップリンクデータパケットの反射マッピングのために、ユーザー装置によって使用されるように構成される。
【００８７】
例１５：図７は、実装例によるターゲット基地局（ＢＳ）の動作を示すフローチャートである。動作７１０は、ターゲットＢＳがソースＢＳからハンドオーバー（ＨＯ）要求を受信することを含む。動作７２０は、ターゲットＢＳにより、ターゲットＢＳへのハンドオーバー要求肯定応答を送信することを含む。動作７３０は、ＨＯ要求肯定応答を送信した後、ソースＢＳが、ターゲットＢＳに転送されるべき、転送されたデータパケットのセットを受信することを含む。転送されたデータパケットの各セットは、反射マッピングインジケータを含む。動作７４０は、ターゲットＢＳにより、データパケットの別のセットを生成するために、データパケットの各セットの反射マッピングインジケーターのリセット動作を実行する。
【００８８】
例１６：例１ないし６のいずれかの例の方法を実行するための手段を含む装置。
【００８９】
例１７：例７−１４のいずれかの方法を実行する手段を含む装置。
【００９０】
例１８：例１５に記載の方法を実行するための手段を含む装置。
【００９１】
例１９：実行可能なコードを保存する非一時的コンピューター読み取り可能記憶媒体を含むコンピュータープログラム製品であって、該実行可能なコードは、少なくとも１つのデータ処理装置によって実行された場合、例１−１５のいずれかに記載の方法を、少なくとも１つのデータ処理装置に実行させるコンピュータープログラム製品。
【００９２】
さらなる例の実装および／または例の詳細がここで提供される。
【００９３】
［略語の例のリスト］
３ＧＰＰ：  第３世代パートナーシッププロジェクト
４Ｇ：  第４世代のモバイル通信技術
５Ｇ：  第５世代のモバイル通信技術
５ＧＭＭ：  ５ＧＳモビリティ管理
５ＧＳ：  ５Ｇシステム
５ＧＳＭ：  ５ＧＳセッション管理
ＡＣＢ：  アクセスクラス禁止
ＡＭＦ：  アクセスおよびモビリティ管理機能
ＣＳＦＢ：  回線交換フォールバック
ＤＭ：  端末管理
ＤＮ：  データネットワーク
ＤＮＮ：  データネットワーク名
ＥＨＰＬＭＮ：  同等ＨＰＬＭＮ
ｅＭＢＢ：  強化されたモバイルブロードバンド
ｅＮＢ：  進化したノードＢ
ＥＰＳ：  進化したパケットシステム
ｇＮＢ：  次世代ノードＢ（不確実）
ＨＰＬＭＮ：  ホームＰＬＭＮ
ＩＭＳ：  ＩＰマルチメディアサブシステム
ＩｏＴ：  モノのインターネット
ＩＰ：  インターネットプロトコル
ＭＭＥ：  モビリティ管理エンティティ
ＭＭＴｅｌ：  ＩＭＳマルチメディアテレフォニーサービス
ＮＡＳ：  非アクセス層
ＮＧＡＰ：  次世代アプリケーションプロトコル
ＮＳＳＡＩ：  ネットワークスライス選択支援情報
ＯＡＭ：  運用、管理、および管理
ＯＭＡ：  オープンモバイルアライアンス
ＯＳ：  オペレーティング・システム
ＰＣＦ：  ポリシー制御機能
ＰＤＵ：  プロトコルデータユニット
ＰＬＭＮ：  地上波公共移動通信ネットワーク
ＲＡＮ：  無線アクセスネットワーク
ＲＲＣ：  無線リソース制御
Ｓ−ＮＳＳＡＩ：  シングルＮＳＳＡＩ
ＳＤ：  スライス識別器
ＳＭＳ：  ショートメッセージサービス
ＳＭＳｏＮＡＳ：  ＮＡＳ経由ＳＭＳ
ＳＭＳｏＩＰ：  ＩＰ経由ＳＭＳ
ＳＳＡＣ：  サービス固有アクセス制御
ＳＳＴ：  スライス／サービス種類
ＵＤＭ：  ユーザーデータ管理
ＵＥ：  ユーザー装置
ＵＰＦ：  ユーザープレーン機能
ＵＲＬＬＣ：  超高信頼低レイテンシー通信
ＶＰＬＭＮ：  訪問ＰＬＭＮ
【００９４】
図８は、実装例による、無線ステーション（例えば、ＡＰ、ＢＳ、ｅＮＢ、ＵＥ、またはユーザーデバイス）８００のブロック図である。無線局８００は、例えば、１つまたは２つのＲＦ（無線周波数）または無線トランシーバ８０２Ａ、８０２Ｂを含むことができる。ここで、各無線トランシーバーには、信号を送信するための送信機と信号を受信するための受信機が含まれる。無線局は、命令またはソフトウェアを実行し、信号の送受信を制御するためのプロセッサまたは制御ユニット／エンティティ（コントローラ）８０４、および、データおよび／または命令を格納するメモリ８０６も含む。
【００９５】
プロセッサ８０４は、判断または決定を行い、送信用のフレーム、パケット、またはメッセージを生成し、受信したフレームまたはメッセージをさらに処理するためにデコードし、本明細書に記載されているその他のタスクまたは機能を実行こともできる。例えば、ベースバンドプロセッサであるプロセッサ８０４は、ワイヤレストランシーバー８０２（８０２Ａまたは８０２Ｂ）経由で送信するためのメッセージ、パケット、フレームまたはその他の信号を生成することができる。プロセッサ８０４は、無線ネットワークを介した信号またはメッセージの送信を制御することができ、そして、（例えば、無線トランシーバ８０２によりダウンコンバートされた後に）ワイヤレスネットワーク経由で、信号やメッセージなどの受信を制御することができる。プロセッサ８０４は、プログラム可能であり、上記の１つ以上のタスクまたはメソッドなど上記のさまざまなタスクと機能を実行するために、メモリまたは他のコンピューターメディアに保存されたソフトウェアまたは他の命令を実行することが可能であり得る。プロセッサ８０４は、例えば、ソフトウェアまたはファームウェア、および／またはこれらの任意の組み合わせを実行するハードウェア、プログラマブルロジック、プログラマブルプロセッサであり得る（または含み得る）。他の用語を使用して、プロセッサ８０４とトランシーバ８０２は、例えば、無線送信機／受信機システムと見なすことができる。
【００９６】
さらに、図８を参照すると、コントローラ（またはプロセッサ）８０８は、ソフトウェアおよび命令を実行することができ、ステーション８００の全体的な制御を提供することができ、そして、（例えば、ディスプレイ、キーパッドなど）入出力デバイスの制御など、図８に示されていない他のシステムの制御を提供することもできる。および／または、例えば、電子メールプログラム、オーディオ／ビデオアプリケーション、ワードプロセッサ、ボイスオーバーインターネットプロトコル（Ｖｏｉｃｅ  ｏｖｅｒ  ＩＰ）アプリケーション、または、その他のアプリケーションまたはソフトウェアなど、ワイヤレスステーション８００で提供され得る１つまたは複数のアプリケーションのソフトウェアを実行できる。
【００９７】
加えて、記憶された命令を含む記憶媒体が提供され得る。コントローラーまたはプロセッサーによって実行されるとき、これは、上記の機能またはタスクの１つ以上を実行するプロセッサ８０４、または他のコントローラまたはプロセッサとなり得る。
【００９８】
別の実装例によると、ＲＦまたはワイヤレストランシーバー８０２Ａ／８０２Ｂは、信号やデータを受信したり、信号やデータを送信または送信したりすることができる。プロセッサ８０４（および場合によってはトランシーバ８０２Ａ／８０２Ｂ）は、信号またはデータを受信、送信、ブロードキャスト、または送信するために、ＲＦまたは無線トランシーバ８０２Ａまたは８０２Ｂを制御できる。
【００９９】
しかしながら、実施形態は、それは例として与えられているシステムに限定されないが、当業者は他の通信システムにソリューションを適用してもよい。適切な通信システムの別の例は、５Ｇコンセプトである。５Ｇのネットワークアーキテクチャが、ＬＴＥ−ａｄｖａｎｃｅｄのそれと非常に似ていることを想定している。５Ｇは、多入力−多出力（ＭＩＭＯ）アンテナ、小規模なステーションと連携して動作するマクロサイトを含むＬＴＥよりも多くの基地局またはノード（いわゆるスモールセルコンセプト）を使用する可能性が高く、おそらくまた、より良いカバレッジと強化されたデータレートのために、さまざまな無線技術を採用している。
【０１００】
将来のネットワークは、おそらく、ネットワークノード機能を「ビルディングブロック」または、動作上接続される可能性のある、またはサービスを提供するために一緒にリンクされるエンティティに仮想化することを提案するネットワークアーキテクチャの概念であるネットワーク機能仮想化（ＮＦＶ）を利用するであろうことを理解すべきである。仮想化ネットワーク機能（ＶＮＦ）は、カスタマイズされたハードウェアの代わりに標準または一般的なタイプのサーバーを使用してコンピュータープログラムコードを実行する１つ以上の仮想マシンで構成される。クラウドコンピューティングまたはデータストレージも利用できる。無線通信において、これは、少なくとも部分的には、リモートラジオヘッドに動作可能に結合されたサーバー、ホスト、またはノード内で、ノード動作が実行されることを意味することができる。ノード動作は、複数のサーバー、ノード、またはホストに分散されることも可能である。コアネットワーク運用と基地局運用との間の労働の分配は、ＬＴＥとは異なる場合があり、存在しない場合もあることもまた理解するべきである。
【０１０１】
ここに記載されているさまざまな技術の実装は、デジタル電子回路、またはコンピューターのハードウェア、ファームウェア、ソフトウェアで、またはそれらの組み合わせで実装することができる。実装は、コンピュータプログラム製品、すなわち、例えば、機械で読み取り可能なストレージデバイスなど、または、伝播信号において、実行するために、または、データ処理装置の動作を制御するために、例えば、プログラム可能なプロセッサー、コンピューター、または複数のコンピューターなど情報担体に具体的に組み込まれたコンピュータープログラムとして実装できる。実装は、コンピューター読み取り可能な媒体、または、非一時的な媒体である可能性があるコンピュータ読み取り可能記憶媒体で提供されることができる。さまざまな手法の実装は、一時的な信号またはメディアを介して提供される実装、および／または、インターネットまたは有線ネットワークおよび／または無線ネットワークのいずれかの他のネットワークを介してダウンロード可能なプログラムおよび／またはソフトウェア実装も含まれることができる。加えて、実装は、マシンタイプコミュニケーション（ＭＴＣ）を介して、また、モノのインターネット（ＩＯＴ）経由でも提供される。
【０１０２】
コンピュータプログラムは、ソースコード形式、オブジェクトコード形式、または何らかの中間形式であり得る。そしてある種のキャリア、プログラムを実行できるエンティティまたはデバイスである配布媒体またはコンピューター読み取り可能な媒体に保管されることがあり得る。このようなキャリアは、記録媒体、コンピューターメモリ、読み取り専用メモリ、光電および／または電気搬送信号、通信信号、ソフトウェア配布パッケージ等を含む。必要な処理能力に応じて、コンピュータプログラムが、単一の電子デジタルコンピューターで実行されることができる、または、複数のコンピューターに分散させることもできる。
【０１０３】
さらに、ここに記載されているさまざまな技術の実装は、サイバー物理システム（ＣＰＳ）（物理エンティティを制御する計算要素の共同システム）を使用できる。ＣＰＳにより、さまざまな場所の物理オブジェクトに埋め込まれた相互接続されたＩＣＴデバイス（センサー、アクチュエーター、プロセッサーマイクロコントローラーなど）の大量の実装と活用が可能になる。問題の物理システムに固有の可動性があるモバイルサイバー物理システムは、サイバー物理システムのサブカテゴリである。モバイル物理システムの例は、人間や動物によって運ばれるモバイルロボット工学や電子機器を含む。スマートフォンの人気の高まりにより、モバイルサイバー物理システムの分野に関心が高まっている。したがって、本明細書で説明する技法の様々な実装は、これらの技術の１つ以上を介して提供することができる。
【０１０４】
上記のコンピュータープログラムなどのコンピュータープログラムは、コンパイルまたは解釈された言語を含む任意の形式のプログラミング言語で記述でき、そしてスタンドアロンプログラムとして、またはモジュール、コンポーネント、サブルーチンとして、または、コンピューティング環境での使用に適した他のユニットまたはその一部として、任意の形式で展開することができる。１つのコンピューターまたは１つのサイトの複数のコンピューター上で、または、複数のサイトに分散し、通信ネットワークで相互接続されて、コンピュータープログラムを展開して実行することができる。
【０１０５】
方法のステップは、１つまたは複数のプログラマブルプロセッサによって、コンピュータープログラムまたはコンピュータープログラム部分を実行して、入力データを動作して出力を生成することにより、機能を実行できる。方法のステップはまた、例えば、ＦＰＧＡ（フィールドプログラマブルゲートアレイ）またはＡＳＩＣ（特定用途向け集積回路）など特別な目的の論理回路として実装できる装置によって実行されることができる。
【０１０６】
コンピュータプログラムの実行に適したプロセッサには、例として、汎用および専用マイクロプロセッサーの両方、あらゆる種類のデジタルコンピューター、チップ、またはチップセットの１つ以上のプロセッサを含む。一般的に、プロセッサは、読み取り専用メモリまたはランダムアクセスメモリ、あるいはその両方から命令およびデータを受信する。コンピューターの要素には、命令を実行するための少なくとも１つのプロセッサ、および、命令とデータを保存するための１つ以上のメモリデバイスを含む。一般的に、コンピュータはまた、データの送受信、またはその両方のために、データを保存するための１つ以上の大容量記憶装置、例えば、磁気、光磁気ディスク、または光ディスクを含むか、または動作可能に結合されることができる。コンピュータプログラムの命令とデータを具体化するのに適した情報媒体は、例として、半導体メモリデバイス、ＥＰＲＯＭ、ＥＥＰＲＯＭ、フラッシュメモリデバイス、磁気ディスク、例えば、内蔵ハードディスクまたはリムーバブルディスク、光磁気ディスク、および、ＣＤ  ＲＯＭおよびＤＶＤ−ＲＯＭディスクを含むすべての形式の不揮発性メモリを含む、プロセッサとメモリは、特殊用途の論理回路によって補完されたり、組み込まれたりすることができる。
【０１０７】
ユーザーとの対話を提供するために、実装は、例えば、マウスやトラックボールなどのキーボードやポインティングデバイスなど、ユーザーとユーザーインターフェースに情報を表示するために、例えば、ブラウン管（ＣＲＴ）または液晶ディスプレイ（ＬＣＤ）モニターなど表示デバイスを備えたコンピューターで実装できる。これにより、ユーザーはコンピューターに入力を提供できる。他の種類のデバイスを使用して、ユーザーとの対話を提供することもできる。例えば、視覚フィードバック、聴覚フィードバック、または触覚フィードバックなどユーザーに提供されるフィードバックは、どのような形の感覚フィードバックでも可能である。そして、ユーザーからの入力は、音響、音声、または触覚入力を含む任意の形式で受信できる。
【０１０８】
実装は、例えば、データサーバ、または、アプリケーションサーバーなどミドルウェアコンポーネントを含むもの、または、例えば、グラフィカルユーザーインターフェイスを備えたクライアントコンピューターまたは、ユーザーが実装と対話できるウェブブラウザなどフロントエンドコンポーネントを含むもの、または、そのようなバックエンド、ミドルウェアまたはフロントエンドコンポーネントとして、バックエンドコンポーネントを含むコンピューティングシステムで実装できる。コンポーネントは、任意の形式またはデジタルデータ通信の媒体、例えば、通信ネットワークで相互接続できます通信ネットワークの例には、ローカルエリアネットワーク（ＬＡＮ）およびワイドエリアネットワーク（ＷＡＮ）、例えばインターネットが含まれる。
【０１０９】
説明されている実装の特定の機能が、本明細書に記載されるように、図示されているが、多くの修正、置換、変更、および同等のものが、当業者において発生し得る。したがって、添付の特許請求の範囲は、そのようなすべての修正を網羅することを意図しており、様々な実施形態の真の趣旨の範囲内で変化することが理解されるべきである。
【図１Ａ】
2020061732.tif 000006
【図１Ｂ】
2020061732.tif 000007
【図１Ｃ】
2020061732.tif 000008
【図２】
2020061732.tif 000009
【図３】
2020061732.tif 000010
【図４】
2020061732.tif 000011
【図５】
2020061732.tif 000012
【図６】
2020061732.tif 000013
【図７】
2020061732.tif 000014
【図８】
2020061732.tif 000015
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
ソース基地局により、ターゲット基地局へのハンドオーバー要求を送信するステップと、
前記ソース基地局によって、前記ターゲット基地局からハンドオーバー要求肯定応答を受信するステップと、
前記ハンドオーバー要求肯定応答の受信に応じて、前記ソース基地局によって、前記ターゲット基地局に転送されるデータパケットのセットを識別するステップであって、データパケットの該セットには、反射マッピングインジケータが含まれる、ステップと、
データパケットの前記セットを転送する前に、前記ソース基地局により、データパケットの別のセットを生成するために、データパケットの前記セットの前記反射マッピングインジケータのリセット動作を実行するステップと、
前記ソース基地局により、前記ターゲット基地局に、データパケット前記別のセットを転送するステップと、
を含む方法。
【請求項２】
データパケットの前記セットには、サービスデータ適応プロトコルヘッダーが含まれ、前記反射マッピングインジケータには、サービスデータアダプテーションプロトコルヘッダーの内に、反射マッピング表示ビットが含まれる、請求項１に記載の方法。
【請求項３】
データパケットの前記セットの前記反射マッピングインジケータで前記リセット動作を実行するステップは、データ無線ベアラへの前記データパケットのマッピングが、前記ソース基地局からのルールではなく、前記ターゲット基地局からのルールに基づいていることを示すために、データパケットの前記セットのうちの前記データパケットの前記サービスデータ適応プロトコルヘッダーの内の前記反射マッピング表示ビットの値を変更するステップを含む、請求項２に記載の方法。
【請求項４】
データパケットの前記セットのうちのデータパケットの前記反射マッピングインジケータは、アップリンクデータパケットは、既存のマッピングルールに基づいて、データ無線ベアラにマッピングされるかどうかを示す、請求項１に記載の方法。
【請求項５】
前記マッピングルールは、マッピングテーブルを含む、請求項４に記載の方法。
【請求項６】
データパケットの前記別のセットは、前記アップリンクデータパケットが、前記既存のマッピングルールに基づいて前記データ無線ベアラにマッピングされることを示す反射マッピングインジケータを備える、請求項４に記載の方法。
【請求項７】
ユーザー装置によって、ソース基地局からハンドオーバーコマンドメッセージを受信するステップであって、該ハンドオーバーコマンドメッセージは、ターゲット基地局に関する情報を含む、ステップと、
前記ハンドオーバーコマンドメッセージを受信した後に、前記ユーザー装置によって、前記ターゲット基地局からデータパケットのセットを受信するステップであって、データパケットの前記セットのうちのデータパケットは、反射マッピングインジケータを含み、データパケットの前記セットのうちの前記データパケットの該反射マッピングインジケータは、前記ユーザー装置は、後続アップリンクデータパケットの反射マッピングに前記データパケットを使用することを示す、ステップと、
前記ユーザー装置により、データパケットの前記セットのうちの少なくとも１つのデータパケットをそれぞれのデータ無線ベアラにマッピングするマッピング動作を実行するステップであって、該マッピング動作は、前記少なくとも１つのデータパケットの前記反射マッピングインジケータの値から独立である、ステップと、
を含む方法。
【請求項８】
指定された時間が経過するまで、前記マッピング動作を停止するステップをさらに含む、請求項７に記載の方法。
【請求項９】
前記指定された時間が、ネットワークから信号伝達される、請求項８に記載の方法。
【請求項１０】
前記指定された時間が、前記ハンドオーバーコマンドメッセージに含まれる、請求項８に記載の方法。
【請求項１１】
前記指定された時間は、送信バッファのデータ量に基づいている、請求項８に記載の方法。
【請求項１２】
バッファされたデータパケットの閾値シーケンス番号に達するまで、前記マッピング動作を停止するステップをさらに含む、請求項７に記載の方法。
【請求項１３】
前記閾値シーケンス番号は、ネットワークから信号伝達される、請求項１２に記載の方法。
【請求項１４】
データパケットの前記セットのうちの前記データパケットは、サービス品質フローインジケータをさらに含み、前記データパケットは、前記データパケットのサービス品質フローインジケータに基づいて、前記後続アップリンクデータパケットの反射マッピングのために、前記ユーザー装置によって使用されるように構成される、請求項７に記載の方法。
【請求項１５】
ターゲット基地局により、ソース基地局からの、前記ソース基地局から前記ターゲット基地局へのハンドオーバーを受けるユーザー装置に関するハンドオーバー要求を受信するステップと、
前記ターゲット基地局によって、前記ソース基地局へのハンドオーバー要求肯定応答を送信するステップと、
該ハンドオーバー要求肯定応答を送信した後に、前記ターゲット基地局により、転送されたデータパケットのセットを受信するステップと、
前記ターゲット基地局により、データパケットの前記セットの反射マッピングインジケータのリセット動作を、データパケットの別のセットを生成するために実行するステップと、
含む方法。
【請求項１６】
少なくとも１つのプロセッサと、コンピュータ・プログラム・コードを含む少なくとも１つのメモリとを含む装置であって、
前記少なくとも１つのメモリと、前記コンピュータ・プログラム・コードとは、前記少なくとも１つのプロセッサを用いて、前記装置に、少なくとも、
ハンドオーバー要求をターゲット基地局に送信させ、
前記ターゲット基地局からハンドオーバー要求肯定応答を受信させ、
前記ハンドオーバー要求肯定応答の受信に応じて、前記ターゲット基地局に転送されるデータパケットのセットを識別させ、
データパケットの該セットには、反射マッピングインジケータが含まれ、データパケットの前記セットを転送する前に、リセットデータパケットの別のセットを生成するために、データパケットの前記セットの反射マッピングインジケーターでリセット動作を実行させ、
リセットデータパケットの別のセットを前記ターゲット基地局に転送させる
ように構成される、
装置。
【請求項１７】
データパケットの前記セットには、サービスデータ適応プロトコルヘッダーが含まれ、前記反射マッピングインジケータには、サービスデータアダプテーションプロトコルヘッダーの内に、反射マッピング表示ビットが含まれる、請求項１６に記載の装置。
【請求項１８】
前記少なくとも１つのメモリと、前記コンピュータ・プログラムコードとは、前記少なくとも１つのプロセッサを用いて、前記装置に、少なくとも、データ無線ベアラへの前記データパケットのマッピングが、ソース基地局からのルールではなく、前記ターゲット基地局からのルールに基づいていることを示すために、データパケットの前記セットのうちのデータパケットの前記サービスデータ適応プロトコルヘッダーの内の前記反射マッピング表示ビットの値を変更させるように構成される、請求項１７に記載の装置。
【請求項１９】
データパケットの前記セットのうちのデータパケットの前記反射マッピングインジケータは、アップリンクデータパケットは、既存のマッピングルールに基づいて、データ無線ベアラにマッピングされるかどうかを示す、請求項１６に記載の装置。
【請求項２０】
前記マッピングルールは、マッピングテーブルを含む、請求項１９に記載の装置。
【請求項２１】
データパケットの前記別のセットには、前記アップリンクデータパケットが、前記既存のマッピングルールに基づいて前記データ無線ベアラにマッピングされることを示す反射マッピングインジケータが含まれる、請求項１９に記載の装置。
【請求項２２】
少なくとも１つのプロセッサと、コンピュータ・プログラム・コードを含む少なくとも１つのメモリとを含む装置であって、
前記少なくとも１つのメモリと、前記コンピュータ・プログラム・コードとは、前記少なくとも１つのプロセッサを用いて、前記装置に、少なくとも、
ソース基地局からハンドオーバーコマンドメッセージを受信させ、ここで、前記ハンドオーバーコマンドメッセージは、ターゲット基地局に関する情報を含み、
前記ハンドオーバーコマンドメッセージを受信した後、前記ターゲット基地局からデータパケットのセットを受信させ、ここで、データパケットの前記セットのうちのデータパケットは、反射マッピングインジケータを含み、データパケットの前記セットのうちの前記データパケットの該反射マッピングインジケータは、ユーザー装置が後続アップリンクデータパケットの反射マッピングに前記データパケットを使用することを示し、
データパケットのセットの少なくとも１つのデータパケットをそれぞれのデータ無線ベアラにマッピングするために、マッピング動作を実行させる
ように構成され、
ここで、該マッピング動作は、少なくとも１つのデータパケットの前記反射マッピングインジケータのそれぞれの値から独立である、
装置。
【請求項２３】
前記少なくとも１つのメモリと、前記コンピュータ・プログラムコードとは、前記少なくとも１つのプロセッサを用いて、前記装置に、少なくとも、指定された時間が経過するまで、前記マッピング動作を停止させるように構成される、請求項２２に記載の装置。
【請求項２４】
前記指定された時間が、ネットワークから信号伝達される、請求項２３に記載の装置。
【請求項２５】
前記指定された時間が、前記ハンドオーバーコマンドメッセージに含まれる、請求項２３に記載の装置。
【請求項２６】
前記指定された時間は、送信バッファのデータ量に基づいている、請求項２３に記載の装置。
【請求項２７】
前記少なくとも１つのメモリと、前記コンピュータ・プログラムコードとは、前記少なくとも１つのプロセッサを用いて、前記装置に、少なくとも、バッファされたデータパケットの閾値シーケンス番号に達するまで、前記マッピング動作を停止させるように構成される、請求項２２に記載の装置。
【請求項２８】
前記閾値シーケンス番号は、ネットワークから信号伝達される、請求項２７に記載の装置。
【請求項２９】
データパケットの前記セットのうちの前記データパケットは、サービス品質フローインジケータをさらに含み、前記データパケットは、前記データパケットのサービス品質フローインジケータに基づいて、前記後続アップリンクデータパケットの反射マッピングのために、前記ユーザー装置により使用されるように構成されている、請求項２２に記載の装置。
【請求項３０】
少なくとも１つのプロセッサと、コンピュータ・プログラム・コードを含む少なくとも１つのメモリとを含む装置であって、
前記少なくとも１つのメモリと、前記コンピュータ・プログラム・コードとは、前記少なくとも１つのプロセッサを用いて、前記装置に、少なくとも、
ソース基地局から、前記ソース基地局からターゲット基地局へのハンドオーバーを受けるユーザー装置に関するハンドオーバー要求を受信させ、
前記ソース基地局にハンドオーバー要求肯定応答を送信させ、
該ハンドオーバー要求肯定応答を送信した後に、転送されたデータパケットのセットを受信させ、
データパケットの別のセットを生成するためにデータパケットの前記セットの反射マッピングインジケータでリセット動作を実行させる
ように構成される、
装置。
【請求項３１】
実行可能なコードを格納する非一時的コンピューター可読記憶媒体を含むコンピュータープログラム製品であって、該実行可能なコードは、少なくとも１つのデータ処理装置によって実行されたとき、少なくとも１つのデータ処理装置に、請求項１ないし１５のいずれか１項に記載の方法を実行させるように構成される、コンピュータープログラム製品。
【請求項３２】
請求項１ないし６のいずれか１項に記載の方法を実行する手段、請求項７ないし１４のいずれか１項に記載の方法を実行する手段、または、請求項１５に記載の方法を実行する手段を備える装置。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
ソース基地局により、ターゲット基地局へのハンドオーバー要求を送信するステップと、
前記ソース基地局によって、前記ターゲット基地局からハンドオーバー要求肯定応答を受信するステップと、
前記ハンドオーバー要求肯定応答の受信に応じて、前記ソース基地局によって、前記ターゲット基地局に転送されるデータパケットのセットを識別するステップであって、データパケットの該セットには、反射マッピングインジケータが含まれる、ステップと、
データパケットのセットを転送する前に、前記ソース基地局により、データパケットの別のセットを生成するために、前記データパケットのセットの前記反射マッピングインジケータのリセット動作を実行するステップと、
前記ソース基地局により、前記ターゲット基地局に、データパケット前記別のセットを転送するステップと、
含む方法。
【請求項２】
データパケットの前記セットには、サービスデータ適応プロトコルヘッダーが含まれ、前記反射マッピングインジケータには、サービスデータアダプテーションプロトコルヘッダーの内に、反射マッピング表示ビットが含まれる、請求項１に記載の方法。
【請求項３】
データパケットの前記セットの前記反射マッピングインジケータでリセット動作を実行するステップは、データ無線ベアラへの前記データパケットのマッピングが、
前記ソース基地局からのルールではなく、前記ターゲット基地局からのルールに基づいていることを示すために、データパケットの前記セットのうちのデータパケットの前記サービスデータ適応プロトコルヘッダーの内の前記反射マッピング表示ビットの値を変更するステップを含む、請求項２に記載の方法。
【請求項４】
データパケットの前記セットのうちのデータパケットの前記反射マッピングインジケータは、アップリンクデータパケットは、既存のマッピングルールに基づいて、データ無線ベアラにマッピングされるかどうかを示す、請求項１に記載の方法。
【請求項５】
前記マッピングルールにはマッピングテーブルを含む、請求項４に記載の方法。
【請求項６】
データパケットの前記別のセットは、前記アップリンクデータパケットが、前記既存のマッピングルールに基づいて、前記データ無線ベアラにマッピングされることを示す反射マッピングインジケータを備える、請求項４に記載の方法。
【請求項７】
ユーザ装置によって、ソース基地局からハンドオーバーコマンドメッセージを受信するステップであって、前記ハンドオーバーコマンドメッセージは、ターゲット基地局に関する情報を含む、ステップと、
前記ハンドオーバーコマンドメッセージを受信した後に、前記ユーザ装置によって、前記ターゲット基地局からデータパケットのセットを受信するステップであって、データパケットの前記セットのうちのデータパケットは、反射マッピングインジケータを含み、データパケットの前記セットのうちの前記データパケットの該反射マッピングインジケータは、前記ユーザ装置が、後続アップリンクデータパケットの反射マッピングにデータパケットを使用するか否かを示す、ステップと、
前記ユーザ装置により、前記後続アップリンクデータパケットをそれぞれのデータ無線ベアラにマッピングするマッピング動作を実行するステップであって、マッピング動作は、前記少なくとも1つのデータパケットの前記反射マッピングインジケータのオリジナルの値から独立である、ステップと、
を含む方法。
【請求項８】
指定された時間が経過するまで、前記マッピング動作を停止するステップをさらに含む、請求項７に記載の方法。
【請求項９】
前記指定された時間が、ネットワークから信号伝達される、請求項８に記載の方法。
【請求項１０】
前記指定された時間が、前記ハンドオーバーコマンドメッセージに含まれる、請求項８に記載の方法。
【請求項１１】
前記指定された時間は、送信バッファのデータ量に基づいている、請求項８に記載の方法。
【請求項１２】
バッファされたデータパケットの閾値シーケンス番号に達するまで、前記マッピング動作を停止するステップをさらに含む、請求項７に記載の方法。
【請求項１３】
前記閾値シーケンス番号は、ネットワークから信号伝達される、請求項１２に記載の方法。
【請求項１４】
前記データパケットが、データパケットのサービス品質フローインジケータに基づいて、前記後続アップリンクデータパケットの反射マッピングのために、前記ユーザ装置によって使用されるとき、データパケットの前記セットのうちの前記データパケットは、サービス品質フローインジケータをさらに含む、請求項７に記載の方法。
【請求項１５】
ターゲット基地局により、ソース基地局からの、前記ソース基地局から前記ターゲット基地局へのハンドオーバーを受けるユーザ装置に関するハンドオーバー要求を受信するステップと、
前記ターゲット基地局によって、前記ソース基地局へのハンドオーバー要求肯定応答を送信するステップと、
該ハンドオーバー要求肯定応答を送信した後に、前記ターゲット基地局により、転送されたデータパケットのセットを受信するステップと、
前記ターゲット基地局により、データパケットの別のセットを生成するために、前記データパケットのセットの反射マッピングインジケータのリセット動作を実行するステップと、
前記ターゲット基地局によって、データパケットの前記別のセットを前記ユーザ装置へ送信するステップと、
を含む方法。
【請求項１６】
少なくとも1つのプロセッサと、コンピュータ・プログラム・コードを含む少なくとも1つのメモリとを備える装置であって、
前記少なくとも１つのメモリおよび前記コンピュータ・プログラム・コードは、前記少なくとも１つのプロセッサを用いて、前記装置に、少なくとも、ハンドオーバー要求をターゲット基地局に送信させ、
前記ターゲット基地局からハンドオーバー要求肯定応答を受信させ、
前記ハンドオーバー要求肯定応答の受信に応じて、前記ターゲット基地局に転送されるデータパケットのセットを識別させ、ここで、データパケットの該セットには、反射マッピングインジケータが含まれ、
データパケットの前記セットを転送する前に、リセットデータパケットの別のセットを生成するために、データパケットの前記セットの反射マッピングインジケータでリセット動作を実行させ、
リセットデータパケットの別のセットを前記ターゲット基地局に転送させる
ように構成される、
装置。
【請求項１７】
データパケットの前記セットには、サービスデータ適応プロトコルヘッダーが含まれ、前記反射マッピングインジケータには、サービスデータアダプテーションプロトコルヘッダーの内に、反射マッピング表示ビットが含まれる、請求項１６に記載の装置。
【請求項１８】
前記少なくとも1つのメモリと、前記コンピュータ・プログラム・コードとは、前記少なくとも１つのプロセッサを用いて、前記装置に、少なくとも、データ無線ベアラへの前記データパケットのマッピングが、前記装置からのルールではなく、前記ターゲット基地局からのルールに基づいていることを示すために、データパケットの前記セットのうちのデータパケットの前記サービスデータ適応プロトコルヘッダーの内の前記反射マッピング表示ビットの値を変更させるように構成される、請求項１７に記載の装置。
【請求項１９】
データパケットの前記セットのうちのデータパケットの前記反射マッピングインジケータは、アップリンクデータパケットは、既存のマッピングルールに基づいて、データ無線ベアラにマッピングされるか否かを示す、請求項１６に記載の装置。
【請求項２０】
前記マッピングルールは、マッピングテーブルを含む、請求項１９に記載の装置。
【請求項２１】
データパケットの前記別のセットには、既存のマッピングルールに基づいて、アップリンクデータパケットがデータ無線ベアラにマッピングされることを示す反射マッピングインジケータが含まれる、請求項１９に記載の装置。
【請求項２２】
少なくとも1つのプロセッサと、コンピュータ・プログラム・コードを含む少なくとも1つのメモリとを備える装置であって、
前記少なくとも１つのメモリおよび前記コンピュータ・プログラム・コードは、前記少なくとも１つのプロセッサを用いて、前記装置に、少なくとも、
ソース基地局からハンドオーバーコマンドメッセージを受信させ、ここで、前記ハンドオーバーコマンドメッセージは、ターゲット基地局に関する情報を含み、
ハンドオーバーコマンドメッセージを受信した後、前記ターゲット基地局からデータパケットのセットを受信させ、ここで、データパケットの前記セットのうちのデータパケットは、反射マッピングインジケータを含み、データパケットの前記セットのうちの前記データパケットの該反射マッピングインジケータは、前記装置が、後続アップリンクデータパケットの反射マッピングにデータパケットを使用するか否かを示し、
前記後続アップリンクデータパケットをそれぞれのデータ無線ベアラにマッピングするマッピング操作を実行させるように構成され、
ここで、マッピング動作は、前記少なくとも1つのデータパケットの前記反射マッピングインジケータのオリジナルの値から独立である、
装置。
【請求項２３】
前記少なくとも1つのメモリと、前記コンピュータ・プログラム・コードとは、前記少なくとも１つのプロセッサを用いて、前記装置に、少なくとも、指定された時間が経過するまで、前記マッピング動作を停止させるように構成される、請求項２２に記載の装置。
【請求項２４】
前記指定された時間が、ネットワークから信号伝達される、請求項２３に記載の装置。
【請求項２５】
前記指定された時間が、前記ハンドオーバーコマンドメッセージに含まれる、請求項２３に記載の装置。
【請求項２６】
前記指定された時間は、送信バッファのデータ量に基づいている、請求項２３に記載の装置。
【請求項２７】
前記少なくとも1つのメモリと、前記コンピュータ・プログラム・コードとは、前記少なくとも１つのプロセッサを用いて、前記装置に、少なくとも、バッファされたデータパケットの閾値シーケンス番号に達するまで、前記マッピング動作を停止させるように構成される、請求項２２に記載の装置。
【請求項２８】
前記閾値シーケンス番号は、ネットワークから信号伝達される、請求項２７に記載の装置。
【請求項２９】
データパケットの前記セットのうちの前記データパケットは、サービス品質フローインジケータをさらに含み、
前記データパケットが、データパケットのサービス品質フローインジケータに基づいて、前記後続アップリンクデータパケットの反射マッピングのために、前記装置によって使用される、
請求項２２に記載の装置。
【請求項３０】
少なくとも1つのプロセッサと、コンピュータ・プログラム・コードを含む少なくとも1つのメモリとを備える装置であって、
前記少なくとも１つのメモリおよび前記コンピュータ・プログラム・コードは、前記少なくとも１つのプロセッサを用いて、前記装置に、少なくとも、
ソース基地局から、前記ソース基地局から前記装置へのハンドオーバーを受けるユーザ装置に関するハンドオーバー要求を受信させ、
前記ソース基地局にハンドオーバー要求肯定応答を送信させ、
該ハンドオーバー要求の確認応答を送信した後に、転送されたデータパケットのセットを受信させ、
データパケットの別のセットを生成するために、データパケットの前記セットの反射マッピングインジケータでリセット動作を実行させ、
データパケットの前記別のセットを前記ユーザ装置に送信させる
ように構成される、装置。
【請求項３１】
請求項１ないし１５のいずれか１項に記載の方法を実行する命令を備えるコンピュータ・プログラム。
【請求項３２】
請求項１ないし６のいずれか１項に記載の方法を実行する手段、
請求項７ないし１４のいずれか１項に記載の方法を実行するための手段、または、
請求項１５に記載の方法を実行する手段
を備える装置。
【外国語明細書】
2020061732000001.pdf